(57)【要約】【課題】本発明の課題は、特に網点の濃度等の条件を可変にし、印刷用紙の違いによる仕上がりの差が表現でき、特色を使用した印刷物の仕上がりを表現できるデジタルカラープルーフを形成できるようにすることである。また、少ない測定データから、種々の印刷条件に対応した高画質、再現性のよいのプルーフを効率的に実現することにある。【解決手段】目標印刷物２の色の特性を測定し、その測定値を、ＧＵＩ手段２００で設定された条件に応じて、つまり、インキ条件、重ね刷りのノセ状態を変更するパラメータ演算手段９、紙質の条件を変更するレンダリング手段１０、及び経年変化等を補正するための機差補正手段を備え、測定値を変更或いは測定値に追加したカラーコレクションテーブル（濃度データ）が得られる構成とし、濃度データからプルーフ画像出力装置の光量への変換等の各種のデータ変換も容易にできる構成とした。【選択図】      図３
2004297738.tif 000002
【特許請求の範囲】
【請求項１】
印刷目標の色を、操作手段を操作して視覚的に設定可能に表示手段に表示する第１の表示段階と、
印刷物から前記設定された印刷目標の色毎にその色を特定するための色特性を求めて出力する取得段階と、
予め準備されたプルーフ画像出力装置の色特性対基本色濃度の濃度特性テーブルを参照して、前記取得段階で出力される色特性を前記基本色の濃度に変換する変換段階と、
前記変換段階で変換された前記各色に対する前記基本色の濃度をテーブルとして記憶する記憶段階と、
前記記憶段階で記憶したテーブルのデータを前記プルーフ画像出力装置へ出力して印刷させる段階と、を備えた画像情報処理方法。
【請求項２】
前記色特性は、Ｌ＊ａ＊ｂ＊である請求項１記載の画像情報処理方法。
【請求項３】
基本色は、イエロー、マゼンダ及びシアンを含み、前記色には、前記基本色の組合せ及び／又はそれらの基本色の組合せと特色との組合せを含むことを特徴とする請求項１記載の画像情報処理方法。
【請求項４】
前記予め準備される前記プルーフ画像出力装置の色特性対基本色濃度の濃度特性テーブルは、前記プルーフ画像出力装置が画像を形成するために保有する露光手段の露光量を決定するためのものである請求項１記載の画像情報処理方法。
【請求項５】
前記取得段階と変換段階の間に、前記取得段階で取得された色の色特性を基に、前記取得段階で取得されていない、所望の色の色特性を演算して求める段階を有し、前記変換段階は、前記取得段階で取得された色の色特性及び前記演算して求めた色の色特性を基本色の濃度に変換することを特徴とする請求項１記載の画像情報処理装置。
【請求項６】
前記記憶段階で記憶する基本色の濃度の濃度テーブルを、前記プルーフ画像出力装置の感光材料特性を基に、画素単位の光量に変換する光量決定段階を有することを特徴とする請求項１、２、３、４、又は５に記載の画像情報処理方法。
【請求項７】
前記表示手段に、前記印刷物の材質固有の印刷特性を入力可能に表示する第２の表示段階と、
前記第２の表示段階で表示された印刷特性の入力に応じて、前記取得段階で取得された色特性を修正して前記変換段階へ送るレンダリング段階を有し、
前記変段階は、修正された色特性について、基本色の濃度に変換することを特徴する請求項１、２、３、４、５又は６に記載の画像情報処理方法。
【請求項８】
色の重なりの下側の色を指定し、上側の色と視覚的に区別できるよう下側の色特性を調整する強調パラメータを入力可能に表示する第３の表示段階と、
前記入力された色の強調パラメータに応じて、前記取得段階が出力する色特性をパラメータ演算回路で修正して出力するパラメータ変更段階とを備え、
前記変換手段は、修正された色特性について、基本色の濃度に変換することを特徴する請求項１、２、３、４、５又は６に記載の画像情報処理方法。
【請求項９】
印刷に使用するインキの特性を入力可能に表示する第４の表示段階とを有し、
前記パラメータ変更段階で前記入力されたインキの特性に応じて前記パラメータ演算回路が色特性を修正して出力し、前記変換手段は、修正された色特性について、基本色の濃度に変換することを特徴する請求項８記載の画像情報処理方法。
【請求項１０】
予め基準となる前記印刷物を基準となる前記プルーフ画像出力装置で印刷したときに取得された基本色の濃度に基づいて標準データとして保有しておいて、前記変換段階で得られた前記基本色の濃度と前記標準データとを比較し、差分に応じて変換段階で得られた基本色の濃度を補正する補正段階を有し、前記記憶段階は、前記補正段階で得られた基本色の濃度をテーブルとして記憶することを特徴とする請求項１、２、３、４，５又は６に記載の画像情報処理方法。
【請求項１１】
重ね刷りの一色を前記表示手段に指定可能に可能に表示するとともに、前記指定された一色について前記記憶段階で記憶したテーブルを参照して指定された色見本を表示する第１のエジット段階と、
前記一色の色を表すパラメータを操作手段で補正可能に表示する第２のエジット段階と、
補正されたパラメータによる色を前記プルーフ画像出力装置で出力したと仮定した色をシミュレート計算し、そのシミュレートした色見本を表示する段階とを備え、
所望の刷り重ね色を前記色見本を視覚認識しながら編集できる請求項１、２、３、４、５又は６に記載のいずれか一つの画像情報処理方法。
【請求項１２】
前記取得段階の取得は、測定によって行い、さらに、
色を指定し、濃度に影響するパラメータを入力可能に表示する段階と、
そのパラメータに基づいて、前記記憶段階で記憶した基本色の濃度テーブルを補正演算し、前記プルーフ画像出力装置に送って印刷させる段階と、
さらにその印刷物について測定した濃度値を表示するとともに、その濃度値を基に前記補正演算した濃度テーブルを更新する段階と、
を有し、測定結果をフィードバックできることを特徴とする請求項１、２、３、４，５又は６記載のいずれか一つの画像情報処理方法。
【請求項１３】
印刷物の色を特定できる色特性を取得できる取得装置及び基本色の濃度に応じたデータを受けて前記印刷物に印刷するプルーフ画像出力装置とを制御して所望の印刷を行うための画像情報処理装置であって、
前記プルーフ画像出力装置の特性である色特性対基本色の濃度特性テーブルを記憶する記憶手段と、
前記取得装置から受けた、取得した色の前記色特性を所望の色に変更又は取得していない色を追加するため、条件を視覚的に入力操作可能に表示するＧＵＩ手段と、
前記ＧＵＩ手段で設定された条件で前記取得装置で取得された色の色特性を変更又は追加して出力する変更手段と、
前記変更手段から出力される各色についての色特性を前記濃度特性テーブルを参照して基本色の濃度データに変換する変換手段と、
前記変換手段から出力される基本色の濃度データを前記プルーフ画像出力装置へ送るために記憶する手段と、
を備えた画像情報処理装置。
【請求項１４】
前記ＧＵＩ手段は、前記印刷物の材質固有の印刷特性及びその特性を調整条件を入力可能に表示し、印刷に使用するインキの特性を入力設定可能に表示し、又は／及び、色の重なりの下側の色を指定して上側の色と視覚的に区別できるよう下側の色特性を調整する条件を入力可能に表示するとともに、設定された各条件を前記変更手段に送ることを特徴とする請求項１３記載の画像情報処理装置。
【請求項１５】
印刷物の色を特定できる色特性を取得できる取得装置及び基本色の濃度に応じたデータを受けて前記印刷物に印刷するプルーフ画像出力装置とを制御して所望の印刷を行うための画像情報処理装置であって、
前記プルーフ画像出力装置の特性である色特性対基本色の濃度特性テーブル、及び予め基準となる前記印刷物を基準となるプルーフ画像出力装置で印刷したときの基本色の濃度に基づく標準データとを記憶する記憶手段と、
前記取得装置から受けた、取得した色の前記色特性を所望の色に変更又は取得していない色を追加するための条件を視覚的に入力操作可能に表示するＧＵＩ手段と、
前記ＧＵＩ手段で設定された条件で取得された色の色特性を変更又は追加して出力する変更手段と、
前記変更手段から出力される各色についての色特性を前記濃度特性テーブルを参照して基本色の濃度データに変換する変換手段と、
前記変換手段で得られた前記基本色の濃度と前記標準データとを比較し、差分に応じて変換手段で得られた基本色の濃度を補正する補正手段と、
前記補正手段から出力される基本色の濃度データを前記プルーフ画像出力装置へ送るために記憶する手段と、
を備えた画像情報処理装置。
【請求項１６】
印刷物の色を特定できる色特性を取得できる取得装置及び基本色の濃度に応じたデータを受けて前記印刷物に印刷するプルーフ画像出力装置とを制御して所望の印刷を行うための画像情報処理装置であって、
前記プルーフ画像出力装置の特性である色特性対基本色の濃度特性テーブルを記憶する記憶手段と、
前記取得装置から受けた色特性を前記濃度特性テーブルを参照して基本色の濃度データに変換する変換手段と、
前記変換手段から出力される基本色の濃度データを前記プルーフ画像出力装置へ送るために記憶する手段と、
重ね刷りの一色を指定可能に表示し、かつ前記手段に記憶されたその指定の取得された色を読み出して色見本として表示するととも、その色見本の修正条件を入力可能に表示することによって、色編集を案内するＧＵＩ手段と、
前記入力された修正条件に基づいて、前記記憶する手段に記憶された基本色の濃度データを補正し、補正された濃度データによる色をシミュレート計算し、そのシミュレートした色を前記ＧＵＩ手段に送って、修正後の色見本として表示させるとともに、前記記憶する濃度データを更新するためのシミュレート手段と、
を備えた画像情報処理装置。
【請求項１７】
印刷物の色を特定できる色特性を取得できる取得装置及び基本色の濃度に応じたデータを受けて前記印刷物に印刷するプルーフ画像出力装置とを制御して所望の印刷を行うための画像情報処理装置を備えた画像出力システムであって、
前記画像情報処理装置は、
前記プルーフ画像出力装置の特性である色特性対基本色の濃度特性テーブルを記憶する記憶手段と、
前記取得装置から受けた、取得した色の前記色特性を所望の色に変更又は取得していない色を追加するため条件を視覚的に入力操作可能に表示するＧＵＩ手段と、
前記ＧＵＩ手段で設定された条件で取得された色の色特性を変更又は追加して出力する変更手段と、
前記変更手段から出力される各色についての色特性を前記濃度特性テーブルを参照して基本色の濃度データに変換する変換手段と、
前記変換手段から出力される基本色の濃度データを前記プルーフ画像出力装置へ送るために記憶する手段と、
を備えたことを特徴とする画像出力システム。
【請求項１８】
網点を複数画素の集合体として面積階調の画像を形成する画像出力システムであって、
予めプルーフ画像出力装置の露光を行うための基本色の濃度対光量特性を記憶する記憶手段と、
目標印刷物の色の色特性を取得する取得手段と、
前記色特性を基に前記色特性に対する基本色の濃度を求める変換手段と、
画素を識別する画素情報を出力する画素生成手段と、
前記画素情報を基に、前記濃度対光量特性を参照して、前記変換手段で求められた濃度を画素単位の光量に演算する演算手段とを備え、
画素単位で露光量を制御して印刷することを特徴とする画像出力システム。
【請求項１９】
前記取得手段と前記変換手段の間に、前記取得手段で取得された色の色特性を基に、取得されていない所望の色の色特性を演算する手段を備えた請求項１８記載の画像出力システム。
【請求項２０】
２種以上のインキ層を刷り重ねて色調を表現する目標印刷物に対応して、ｎ種の色を発色させて組み合わせて表現するプルーフ画像としての面積階調画像をプルーフ画像出力装置に形成させる画像出力システムであって、
予め、前記プルーフ画像出力装置の露光を行うための目標印刷物に対する基本色の濃度特性をカラーコレクションテーブルとして記憶する記憶する記憶手段を有し、前記目標印刷物の刷り重ね部分の濃度Ｄを、上色濃度Ｏ、下色濃度Ｕにより、下記の式で算出し、その濃度Ｄに対応して前記プルーフ画像出力装置に前記プルーフ画像を出力させる画像情報処理装置を備えたことを特徴とする画像形成システム。
Ｄｊ＝Ａｊ×Ｏｊ＋Ｂｊ×Ｕｊ
但し、ｊ：２からｎまでの整数、
Ｏｊ、Ｕｊ：前記カラーコレクションテーブルの内の１つの色の濃度
Ａｊ：トラッピング率、０≦Ａｊ≦１、ただし少なくとも、Ａｊの内、１つが０よりも大きく１よりも小さい。
Ｂｊ：透明度係数
０＜Ｂｊ≦０．３（Ｏｊのインキが金属顔料インキの場合）
０．７≦Ｂｊ＜１（Ｏｊのインキが金属顔料以外の他のインキの場合）
【請求項２１】
網点を複数画素の集合体として面積階調の画像を形成する画像形成方法であって、
予めプルーフ画像出力装置の露光を行うための基本色の濃度対光量特性を取得しておく準備段階と、
目標印刷物の色の色特性を取得する取得段階と、
前記色特性を基に前記色特性に対する基本色の濃度を求める変換段階と
画素を識別する画素情報を出力する段階と、
前記画素情報を基に、前記濃度対光量特性を参照して、前記変換段階で求められた濃度を画素単位の光量に演算する段階とを備え、
画素単位で露光量を制御して印刷することを特徴とする画像形成方法。
【請求項２２】
前記取得段階と前記変換段階の間に、前記取得段階で取得された色の色特性を基に、取得されていない所望の色の色特性を演算する段階を備えた請求項２１記載の画像形成方法。
【請求項２３】
プルーフ画像出力装置に、複数の異なる色が組み合わされて、任意の色調を表現できるプルーフ階調画像を形成させる画像形成方法において、
目標印刷物の複数のインキが重なった重なり部分の色を再現するための濃度を、前記重なり部分の上側に刷り重ねる上側インキの種類に応じた所定係数を用いて計算を行って決定し、決定した濃度で前記画像出力装置にプルーフ階調画像の形成を行わせることを特徴とする画像形成方法。
【請求項２４】
前記再現するための濃度の計算は、前記上側インキの濃度、前記重なり部分の下側になる下側インキの濃度、透明度係数及びトラッピング率を基に行い、前記所定係数は、前記透明度係数であることを特徴とする請求項２３記載の画像形成方法。
【請求項２５】
前記上側インキの種類は、金属顔料インキとそれ以外のインキに分類され、前記所定係数は、その分類に応じて定める係数であることを特徴とする請求項２３又は２４記載の画像形成方法。
【請求項２６】
前記金属顔料インキを、金属銀色顔料インキと、金属銀色顔料以外のその他の金属顔料インキとに小分類して、この小分類に応じて前記所定係数を定めることを特徴とする請求項２５記載の画像形成方法。
【請求項２７】
プルーフ画像出力装置に、シアン、マゼンタ及びイエローの各濃度の組み合わせで着色可能なプルーフ用画像形成材料を用いて、目標印刷物の複数版の刷り重ね部分の色調を再現するための濃度で、プルーフ階調画像を形成させる画像形成方法において、
前記再現するための濃度は、前記目標印刷物における上に刷り重ねられる上側インキの単色の色調又は濃度と、前記上側インキの主要構成成分とに基づき、前記再現する濃度を決定することを特徴とする画像形成方法。
【請求項２８】
前記上側インキの主用構成成分は、金属顔料インキの成分とそれ以外のインキの成分に分類され、前記再現する濃度は、その分類に応じて決定をされることを特徴とする請求項２７記載の画像形成方法。
【請求項２９】
前記金属顔料インキの成分を、金属銀色顔料インキの成分と、金属銀色顔料以外のその他の金属顔料インキの成分とに小分類して、この小分類に応じて前記再現する濃度が決定されることを特徴とする請求項２８記載の画像形成方法。
【請求項３０】
プルーフ画像出力装置は、少なくともシアン、マゼンタ及びイエローを発色可能なハロゲン化銀乳剤層を有するハロゲン化銀感光材料を、前記目標印刷物の画像データに基づいて光量を変化させて画像露光を行った後、発色現像処理することを特徴とする請求項２３、２４、２５、２６、２７、２８又は２９記載の画像形成方法。
【請求項３１】
目標印刷物がシアン、マゼンタ及びイエロー以外の特色を含む画像を再現するプルーフ画像であることを特徴とする請求項３０記載の画像形成方法。
【請求項３２】
２種以上のインキ層を刷り重ねて色調を表現する目標印刷物に対応して、ｎ種の色を発色させて組み合わせて表現するプルーフ画像としての面積階調画像をプルーフ画像出力装置に形成させる画像形成方法であって、
前記目標印刷物の刷り重ね部分の濃度Ｄを、上色濃度Ｏ、下色濃度Ｕにより、下記の式で算出し、その濃度Ｄに対応して前記プルーフ画像出力装置に前記プルーフ画像を出力させることを特徴とする画像形成方法。
Ｄｊ＝Ａｊ×Ｏｊ＋Ｂｊ×Ｕｊ
但し、ｊ：２からｎまでの整数、
Ａｊ：トラッピング率、０≦Ａｊ≦１、ただし少なくとも、Ａｊの内、１つが０よりも大きく１よりも小さい。
Ｂｊ：透明度係数
０＜Ｂｊ≦０．３（Ｏｊのインキが金属顔料インキの場合）
０．７≦Ｂｊ＜１（Ｏｊのインキが金属顔料以外の他のインキの場合）
【請求項３３】
前記上色の濃度Ｏｊを構成するインキが、金属銀色顔料インキのとき、０＜Ｂｊ＜０．１、金属銀色顔料インキ以外の他の金属顔料インキのとき、０．１≦Ｂｊ≦０．３である請求項３２の画像形成方法。
【請求項３４】
コンピュータに印刷物の色を特定できる色特性を取得できる取得装置と、基本色の濃度に応じたデータを受けて前記印刷物に印刷するプルーフ画像出力装置とを制御させて所望の印刷を行うためのコンピュータプログラムであって、
前記コンピュータに対して、
前記プルーフ画像出力装置の特性である色特性対基本色の濃度特性テーブル、及び予め基準となる前記印刷物を基準となる前記プルーフ画像出力装置で印刷したときの基本色の濃度を含む標準データとを記憶させ、
前記取得装置から受けた、取得した色の前記色特性を所望の色に変更又は取得していない色を追加するため条件を視覚的に入力操作可能に表示するＧＵＩを実行させ、
前記ＧＵＩで設定された条件で取得された色の色特性を変更又は追加して出力させ、
前記変更されて出力される各色についての色特性を前記濃度特性テーブルを参照して基本色の濃度データに変換させ、
前記変換で得られた前記基本色の濃度と前記標準データとを比較し、差分に応じて変換で得られた基本色の濃度を補正させ、
前記補正手段から出力される基本色の濃度データを前記プルーフ画像出力装置へ送らせるために記憶させる
ことを特徴とするコンピュータプログラム
【請求項３５】
網点を複数画素の集合体として面積階調の画像を形成するために用いられるコンピュータプログラムであって、
コンピュータに対して、
予めプルーフ画像出力装置の露光を行うための基本色の濃度対光量特性を記憶させ、
目標印刷物の色の色特性を取得させ、
前記色特性を基に前記色特性に対する基本色の濃度を求めさせ、
画素を識別する画素情報を生成させ、
前記画素情報を基に、前記濃度対光量特性を参照して、前記求めた基本色の濃度を画素単位の光量に演算させる
ことを特徴とするコンピュータプログラム。
【発明の詳細な説明】
【０００１】
【発明の属する技術分野】
本発明は、ユーザがコンピュータを操作して印刷物の仕上がりを事前に確認するプルーフを生成するため画像情報処理方法、画像情報処理装置、画像出力システム、画像形成方法及びコンピュータプログラムに関するものである。又、プルーフ画像の形成方法において、特にハロゲン化銀感光材料或いはハロゲン化銀カラー感光材料（以下、単に感光材料という）を好ましく用いることができるデジタルカラープルーフの生成に関する技術であり、少ない取得データから、種々の印刷条件に対応した高画質のプルーフ画像を効率的に得ることができ、また、刷り重ねる場合、インキの種類に応じた所定パラメータ（透明度）を考慮して検版が容易でかつ高画質のプルーフ画像を得ることができるデジタルカラープルーフの生成に関するものである。
【０００２】
【従来の技術】
印刷分野において、ハロゲン化銀感光材料は、高感度であること、色再現性に優れていること、連続処理に適していることから今日盛んに用いられている。こうした特徴からハロゲン化銀感光材料は、写真の分野のみではなく、印刷の分野でも、印刷の途中の段階で仕上がりの印刷物の状態をチェックするためのいわゆるプルーフの分野で広く用いられるようになってきている。
【０００３】
プルーフの分野では、コンピュータ上で編集された画像を印刷用フィルムに出力し、現像済みのフィルムを適宜交換しつつ分解露光することによってイエロー（Ｙ）、マゼンタ（Ｍ）、シアン（Ｃ）の各画像を形成させ、最終印刷物の画像をカラー印画紙上に形成させることにより、最終印刷物のレイアウトや色の適否を判断することが行われていた。
【０００４】
最近では、コンピュータ上で編集された画像を直接印刷版に出力する方式が徐々に普及してきており、このような場合にはコンピュータ上のデータからフィルムを介することなく直接カラー画像を得ることが望まれていた。
【０００５】
このような目的には、昇華型・溶融熱転写方式や電子写真方式、インキジェット方式等種々の方式の応用が試みられてきたが、高画質な画像が得られる方式では費用がかかり生産性が劣るという欠点があり、費用が少なくてすみ生産性に優れた方式では画質が劣るという欠点があった。ハロゲン化銀感光材料を用いたシステムでは、優れた鮮鋭性等から、正確な網点画像が形成できるなど高画質な画像形成が可能であり、一方で上述したように連続した処理が可能であることや、複数の色画像形成ユニットに同時に画像を書き込むことができることから高い生産性を実現することが可能であった。
【０００６】
近年、印刷の分野でいわゆるデジタル化が進みコンピュータ内のデータから直接画像を得る要求が強まっているが前記したような理由によって、ハロゲン化銀感光材料がこの分野で有利に使われ始めている。
【０００７】
このような方式においては、網点をさらに小さな単位（ここではこれを画素と表現した）に分割し、この画素を適切な露光量で露光する事によってその集合体として網点を再現することが可能である。例えとして簡単な例を挙げれば、１つの網点が１００個の画素で構成されるのであれば、５０個の画素を現像可能なように露光する事により網％が５０％の網点を形成する事ができる。印刷の特性を表現するのにドットゲインというパラメータが用いられるが、前記現像可能となる画素の数を変化させることによりドットゲインを変えることができる。この画素が、例えば印刷のイエロー（Ｙ）のインキとマゼンダ（Ｍ）のインキの重なった場所に存在する場合には、この画素を赤に発色させることにより再現することが可能となる。この時、プルーフ上では必ずしもＹとＭをえる条件を組み合わせる必要はなく別途（例えば、直接にＹ＋Ｍ相当の色を）設定することが可能である。これにより、色材の相違による視覚的なズレの調整などの大きなメリットを得ることができる。
【０００８】
また、印刷物においては、プロセスインキでは表現できない色や特殊な印刷効果を狙って、特色インキを使った印刷が行われる場合がある。
【０００９】
ハロゲン化銀感光材料を用いてデジタルデータに基づき面積階調画像を形成するシステムでは、各層の露光量を任意に変化させることにより、イエロー（Ｙ）、マゼンタ（Ｍ）、シアン（Ｃ）の濃度を変化させて、この３色の濃度成分の発色比で決められる一定の色域の中で、任意の色調を再現することが可能である。すなわち、プロセスインキのイエロー（Ｙ）、マゼンタ（Ｍ）、シアン（Ｃ）、ブラック（Ｋ）の組み合わせで表現可能な白を除く１５色以外に、ほぼ無限に近い色調表現が可能であるため前述の特色に近似した色調を再現することが可能である。
【００１０】
プロセスインキの組み合わせで表現される色調および特色等の任意の色調を、ハロゲン化銀感光材料を用いて再現するためには、イエロー（Ｙ）、マゼンタ（Ｍ）、シアン（Ｃ）の発色する濃度成分を適宜露光光量を調整して組み合わせる必要がある。
【００１１】
ハロゲン化銀感光材料を用いたシステムは、このように非常に有用なプルーフシステムを実現可能なものであるが、以上説明したように、目標とする印刷物の色版の数が増えるに伴い、この条件をどのように規定するかが非常に大きな課題であった。
【００１２】
さらに、ハロゲン化銀感光材料を用いたシステムでは、印刷と同じ色材を使用する事ができないため、視覚的に近似した画像を得るためには、例えばＣＩＥＬＡＢ色空間の測定値としてずれた色に調整する必要があるなどの課題を有していた。
【００１３】
特許文献１の請求項には、ＡＯＭ（音響光学変調器）に印加するＯＮ、ＯＦＦ電圧値を制御することで、透過する光量を調整し、カラー感光材料の発色濃度を調整するカラー画像校正装置について開示されており、これにより発色濃度、ヌケ部の濃度が可変となり、印刷と近似した画像を形成することができ、特色印刷の校正が可能となることが開示されている。しかしながら、画像出力の条件をどのように決めればよいかなどの具体的な手段については何ら述べられていないし、示唆もされていない。
【００１４】
プルーフ画像作成装置としてハロゲン化銀感光材料を用いる装置が提案されており、網点の濃度を可変にできることが開示されている（デジタルコンセンサスプロ  パンフレット、コニカグラフィックイメージング（株）（２００２））。
【００１５】
特許文献２の請求項には、直接変調したＬＥＤを光源とする濃度とドットゲインを独立に調整する画像形成方法が開示されており、印刷画像との差異の小さいプルーフ画像が容易に得られることを開示している。しかし、各色をどのように調整することで目視での画像再現性が満足されるかについて何も述べられていないし、示唆もされておらず、また、なによりも本発明はこのような装置をより有効に使用するための技術に関するものである。
【００１６】
特許文献３の請求項には、特色版を使用する印刷物に対するプルーフ画像形成方法として、プロセス色変換過程、特色参照過程、特色変換過程、プロセス色変換画像データと前記特色変換画像データを組み合わせる合成過程、出力過程からなる画像形成方法を開示している。印刷物の色とプルーフの色をどのように調整するかという最も簡単なモデルは、濃度あるいはＬ＊、ａ＊、ｂ＊の値を両者で同じになるようにすることであるが、前述のように、ハロゲン化銀感光材料を用いたカラープルーフでは、印刷との色材の違いから色調を調整することが必要であるという課題がある。特許文献３には、こうした課題についての記載はなく、また、簡便に色を決める方法についての示唆もない。
【００１７】
特許文献４の請求項には、本印刷機における各色の刷順と透過度とに基づいて前記各色の刷り重ねの模擬演算を行う色校正方法が開示され、これにより、特色インキを刷り重ねる順番と特色インキの透過度とが考慮され色再現性が良好な色校正方法が提供される。しかし、特許文献４の公報カラム０００８には、「透過度は隠蔽性を有するインキ（不透過色インキ）によって隠蔽されていない面積率（％）、すなわち、下の色が印刷物の表面から見た色に影響する程度（％）のことである」と記載されており、「前記模擬演算過程は、刷り重ねにおいて下の色に影響されない不透過色については画素値と透過度を乗算した値（実効のある画素値）をその不透過色を刷り重ねる演算の前の透過度から減算して新たな透過度を生成し、その新たな透過度を刷順が次の下の色の実効画素値演算過程で用いる色校正方法」であると記載している。すなわち、不透過色インキ（光を全く透過しない）が上にあるか下にあるかの区別する上において刷り順が考慮されている。本願発明と同様に、演算により再現する色を決定しているが、開示されている内容は限られた方法に関するものであり、また、本願発明が、網点の濃度を可変にすることにより、刷り重ねられた上色インキ自体の光透過率を連続的な数値として取り扱え、下色のインキによって上色の着色がしにくくなるための濃度の変化を連続的な数値として取り扱えることに特徴があり、さらに、印刷インキの種類に応じた特性を考慮し、共通の式でノセ色部分の濃度を決定して印刷再現性、印刷物近似性を良好にすることに特徴があのに対して、前記公報にはこうした取り扱いを示唆する記載は見あたらない。
【００１８】
【特許文献１】
特開平５−６６５５７号公報［請求項］
【特許文献２】
特開２００１−３０５７０１号公報［請求項］
【特許文献３】
特開平１０−２４８０１７号公報［請求項］
【特許文献４】
特開平１１−２９６６６４号公報［請求項］
【００１９】
【発明が解決しようとする課題】
本発明が解決しようとする課題は、印刷物の仕上がりを事前に確認するプルーフ、特に網点の濃度を可変にすることにより、印刷用紙の違いによる仕上がりの差が表現でき、特色を使用した印刷物の仕上がりを印刷再現性、印刷物近似性良く表現できるデジタルカラープルーフを形成できるものであって、さらに操作者がコンピュータを操作して再現性よくプルーフを生成することのできる画像情報処理方法、画像情報処理装置、画像出力システム、画像形成方法及びコンピュータプログラムを提供することである。また、少ない測定データから、種々の印刷条件に対応した高画質のプルーフ画像を効率的に得ることができ、また、インキの種類に応じた透明度というパラメータを考慮して下色と上色の区別がつき検版が容易、かつ高画質のデジタルカラープルーフを実現することにある。
【００２０】
【課題を解決するための手段】
上記課題を解決するため、構成を下記のようにした。
【００２１】
請求項１記載の発明は、印刷目標の色を、操作手段を操作して視覚的に設定可能に表示手段に表示する第１の表示段階と、印刷物から前記設定された印刷目標の色毎にその色を特定するための色特性を求めて出力する取得段階と、予め準備されたプルーフ画像出力装置の色特性対基本色濃度の濃度特性テーブルを参照して、前記取得段階で出力される色特性を前記基本色の濃度に変換する変換段階と、前記変換段階で変換された前記各色に対する前記基本色の濃度をテーブルとして記憶する記憶段階と、前記記憶段階で記憶したテーブルのデータを前記プルーフ画像出力装置へ出力して印刷させる段階とを備えた。
【００２２】
請求項２記載の発明は、請求項１の発明において、前記色特性は、Ｌ＊ａ＊ｂ＊であるとした。
【００２３】
請求項３記載の発明は、基本色は、イエロー、マゼンダ及びシアンを含み、前記色には、前記基本色の組合せ及び／又はそれらの基本色の組合せと特色との組合せを含むこととした。
【００２４】
請求項４記載の発明は、前記予め準備される前記プルーフ画像出力装置の色特性対基本色濃度の濃度特性テーブルは、前記プルーフ画像出力装置が画像を形成するために保有する露光手段の露光量を決定するためのものとした。
【００２５】
請求項５記載の発明は、前記取得段階と変換段階の間に、前記取得段階で取得された色の色特性を基に、前記取得段階で取得されていない、所望の色の色特性を演算して求める段階を有し、前記変換段階は、前記取得段階で取得された色の色特性及び前記演算して求めた色の色特性を基本色の濃度に変換することを特徴とした。
【００２６】
請求項６記載の発明は、前記記憶手段階で記憶する基本色の濃度の濃度テーブルを、前記プルーフ画像出力装置の感光材料特性を基に、画素単位の光量に変換する光量決定段階を有することとした。
【００２７】
請求項７記載の発明は、前記表示手段に、前記印刷物の材質固有の印刷特性を入力可能に表示する第２の表示段階と、前記第２の表示段階で表示された印刷特性の入力に応じて、前記取得段階で取得された色特性を修正して前記変換段階へ送るレンダリング段階を有し、  前記変換段階は、修正された色特性について、基本色の濃度に変換することとした。
【００２８】
請求項８記載の発明は、色の重なりの下側の色を指定し、上側の色と視覚的に区別できるよう下側の色特性を調整する強調パラメータを入力可能に表示する第３の表示段階と、前記入力された色の強調パラメータに応じて、前記取得段階が出力する色特性をパラメータ演算回路で修正して出力するパラメータ変更段階とを備え、前記変換手段は、修正された色特性について、基本色の濃度に変換することとした。
【００２９】
請求項９記載の発明は、印刷に使用するインキの特性を入力可能に表示する第４の表示段階とを有し、前記パラメータ変更段階で前記入力されたインキの特性に応じて前記パラメータ演算回路が色特性を修正して出力し、前記変換手段は、修正された色特性について、基本色の濃度に変換することとした。
【００３０】
請求項１０記載の発明は、予め基準となる前記印刷物を基準となる前記プルーフ画像出力装置で印刷したときに取得された基本色の濃度に基づいて標準データとして保有しておいて、前記変換段階で得られた前記基本色の濃度と前記標準データとを比較し、差分に応じて変換段階で得られた基本色の濃度を補正する補正段階を有し、前記記憶段階は、前記補正段階で得られた基本色の濃度をテーブルとして記憶することとした。
【００３１】
請求項１１記載の発明は、重ね刷りの一色を前記表示手段に指定可能に可能に表示するとともに、前記指定された一色について前記記憶段階で記憶されたテーブルを参照して指定された色見本を表示する第１のエジット段階と、前記一色の色を表すパラメータを操作手段で補正可能に表示する第２のエジット段階と、補正されたパラメータによる色を前記プルーフ画像出力装置で出力したと仮定した色をシミュレート計算し、そのシミュレートした色見本を表示する段階とを備え、所望の刷り重ね色を前記色見本を視覚認識しながら編集できる構成とした。
【００３２】
請求項１２記載の発明、前記取得段階の取得は、測定によって行い、さらに、色を指定し、濃度に影響するパラメータを入力可能に表示する段階と、そのパラメータに基づいて、前記記憶段階で記憶されたの基本色の濃度テーブルを補正演算し、前記プルーフ画像出力装置に送って印刷させる段階と、さらにその印刷物について測定した濃度値を表示するとともに、その濃度値を基に前記補正演算した濃度テーブルを更新する段階とを有し、測定結果をフィードバックできる構成とした。
【００３３】
請求項１３記載の発明は、印刷物の色を特定できる色特性を取得できる取得装置及び基本色の濃度に応じたデータを受けて前記印刷物に印刷するプルーフ画像出力装置とを制御して所望の印刷を行うための出力画像制御装置であって、前記プルーフ画像出力装置の特性である色特性対基本色の濃度特性テーブルを記憶する記憶手段と、前記取得装置から受けた、取得した色の前記色特性を所望の色に変更又は取得していない色を追加するため、条件を視覚的に入力操作可能に表示するＧＵＩ手段と、前記ＧＵＩ手段で設定された条件で前記取得装置で取得された色の色特性を変更又は追加して出力する変更手段と、前記変更手段から出力される各色についての色特性を前記濃度特性テーブルを参照して基本色の濃度データに変換する変換手段と、前記変換手段から出力される基本色の濃度データを前記プルーフ画像出力装置へ送るために記憶する手段とを備えた。
【００３４】
請求項１４記載の発明は、前記ＧＵＩ手段は、前記印刷物の材質固有の印刷特性及びその特性を調整条件を入力可能に表示し、印刷に使用するインキの特性を入力設定可能に表示し、又は／及び、色の重なりの下側の色を指定して上側の色と視覚的に区別できるよう下側の色特性を調整する条件を入力可能に表示するとともに、設定された各条件を前記変更手段に送る構成とした。
【００３５】
請求項１５記載の発明は印刷物の色を特定できる色特性を取得できる取得装置及び基本色の濃度に応じたデータを受けて前記印刷物に印刷するプルーフ画像出力装置とを制御して所望の印刷を行うための画像情報処理装置であって、前記プルーフ画像出力装置の特性である色特性対基本色の濃度特性テーブル、及び予め基準となる前記印刷物を基準となるプルーフ画像出力装置で印刷したときの基本色の濃度に基づく標準データとを記憶する記憶手段と、前記取得装置から受けた、取得した色の前記色特性を所望の色に変更又は取得していない色を追加するための条件を視覚的に入力操作可能に表示するＧＵＩ手段と、前記ＧＵＩ手段で設定された条件で取得された色の色特性を変更又は追加して出力する変更手段と、前記変更手段から出力される各色についての色特性を前記濃度特性テーブルを参照して基本色の濃度データに変換する変換手段と、前記変換手段で得られた前記基本色の濃度と前記標準データとを比較し、差分に応じて変換手段で得られた基本色の濃度を補正する補正手段と、前記補正手段から出力される基本色の濃度データを前記プルーフ画像出力装置へ送るために記憶する手段とを備えた。
【００３６】
請求項１６記載の発明は、印刷物の色を特定できる色特性を取得できる取得装置及び基本色の濃度に応じたデータを受けて前記印刷物に印刷するプルーフ画像出力装置とを制御して所望の印刷を行うための画像情報処理装置であって、前記プルーフ画像出力装置の特性である色特性対基本色の濃度特性テーブルを記憶する記憶手段と、前記取得装置から受けた色特性を前記濃度特性テーブルを参照して基本色の濃度データに変換する変換手段と、前記変換手段から出力される基本色の濃度データを前記プルーフ画像出力装置へ送るために記憶する手段と、重ね刷りの一色を指定可能に表示し、かつ前記手段に記憶されたその指定の取得された色を読み出して色見本として表示するととも、その色見本の修正条件を入力可能に表示することによって、色編集を案内するＧＵＩ手段と、前記入力された修正条件に基づいて、前記記憶する手段に記憶された基本色の濃度データを補正し、補正された濃度データによる色をシミュレート計算し、そのシミュレートした色を前記ＧＵＩ手段に送って、修正後の色見本として表示させるとともに、前記記憶する濃度データを更新するためのシミュレート手段とを備えた。
【００３７】
請求項１７記載の発明は、印刷物の色を特定できる色特性を取得できる取得装置及び基本色の濃度に応じたデータを受けて前記印刷物に印刷するプルーフ画像出力装置とを制御して所望の印刷を行うための画像情報処理装置を備えた画像出力システムであって、前記画像情報処理装置は、前記プルーフ画像出力装置の特性である色特性対基本色の濃度特性テーブルを記憶する記憶手段と、前記取得装置から受けた、取得した色の前記色特性を所望の色に変更又は取得していない色を追加するため条件を視覚的に入力操作可能に表示するＧＵＩ手段と、前記ＧＵＩ手段で設定された条件で取得された色の色特性を変更又は追加して出力する変更手段と、前記変更手段から出力される各色についての色特性を前記濃度特性テーブルを参照して基本色の濃度データに変換する変換手段と、前記変換手段から出力される基本色の濃度データを前記プルーフ画像出力装置へ送るために記憶する手段とを備えた。
【００３８】
請求項１８記載の発明は、網点を複数画素の集合体として面積階調の画像を形成する画像形成方法であって、予めプルーフ画像出力装置の露光を行うための基本色の濃度対光量特性を取得しておく準備段階と、目標印刷物の色の色特性を取得する取得段階と、前記色特性を基に前記色特性に対する基本色の濃度を求める変換段階と、画素を識別する画素情報を出力する段階と、前記画素情報を基に、前記濃度対光量特性を参照して、前記変換段階で求められた濃度を画素単位の光量に演算する段階とを備え、画素単位で露光量を制御して印刷する構成とした。
【００３９】
請求項１９記載の発明は、請求項１８記載の発明において、前記取得段階と前記変換段階の間に、前記取得段階で取得された色の色特性を基に、取得されていない所望の色の色特性を演算する段階を備えた。
【００４０】
請求項２０記載の発明は、２種以上のインキ層を刷り重ねて色調を表現する目標印刷物に対応して、ｎ種の色を発色させて組み合わせて表現するプルーフとしての面積階調画像をプルーフ画像出力装置に形成させる画像出力システムであって、予め、前記プルーフ画像出力装置の露光を行うための目標印刷物に対する基本色の濃度特性をカラーコレクションテーブルとして記憶する記憶する記憶手段を有し、前記目標印刷物の刷り重ね部分の濃度Ｄを、上色濃度Ｏ、下色濃度Ｕにより、下記の式で算出し、その濃度Ｄに対応して前記プルーフ画像出力装置に前記プルーフを出力させる画像情報処理装置を備えた。
Ｄｊ＝Ａｊ×Ｏｊ＋Ｂｊ×Ｕｊ
但し、ｊ：２からｎまでの整数、
Ｏｊ、Ｕｊ：前記カラーコレクションテーブルの内の１つの色の濃度
Ａｊ：トラッピング率、０≦Ａｊ≦１、ただし少なくとも、Ａｊの内、１つが０よりも大きく１よりも小さい。
Ｂｊ：透明度係数、０＜Ｂｊ≦０．３（Ｏｊのインキが金属顔料インキの場合、
０．７≦Ｂｊ＜１（Ｏｊのインキが金属顔料以外の他のインキの場合）
【００４１】
請求項２１記載の発明は、網点を複数画素の集合体として面積階調の画像を形成する画像形成方法であって、予めプルーフ画像出力装置の露光を行うための基本色の濃度対光量特性を取得しておく準備段階と、目標印刷物の色の色特性を取得する取得段階と、前記色特性を基に前記色特性に対する基本色の濃度を求める変換段階と、画素を識別する画素情報を出力する段階と、前記画素情報を基に、前記濃度対光量特性を参照して、前記変換段階で求められた濃度を画素単位の光量に演算する段階とを備え、画素単位で露光量を制御して印刷することを特徴とした。
【００４２】
請求項２２記載の発明は、請求項２１記載の発明において、前記取得段階と前記変換段階の間に、前記取得段階で取得された色の色特性を基に、取得されていない所望の色の色特性を演算する段階を備えた。
【００４３】
請求項２３記載の発明は、プルーフ画像出力装置に、複数の異なる色が組み合わされて、任意の色調を表現できるプルーフ階調画像を形成させる画像形成方法において、目標印刷物の複数のインキが重なった重なり部分の色を再現するための濃度を、前記重なり部分の上側に刷り重ねる上側インキの種類に応じた所定係数を用いて計算を行って決定し、決定した濃度で前記画像出力装置にプルーフ階調画像の形成を行わせることを特徴とした。
【００４４】
請求項２４記載の発明は、前記再現するための濃度の計算は、前記上側インキの濃度、前記重なり部分の下側になる下側インキの濃度、透明度係数及びトラッピング率を基に行い、前記所定係数は、前記透明度係数であることを特徴とした。
【００４５】
請求項２５記載の発明は、前記上側インキの種類は、金属顔料インキとそれ以外のインキに分類され、前記所定係数は、その分類に応じて定める係数であることを特徴とした。
【００４６】
請求項２６記載の発明は、前記金属顔料インキを、金属銀色顔料インキと、金属銀色顔料以外のその他の金属顔料インキとに小分類して、この小分類に応じて前記所定係数を定めることを特徴とした。
【００４７】
請求項２７記載の発明は、プルーフ画像出力装置に、シアン、マゼンタ及びイエローの各濃度の組み合わせで着色可能なプルーフ用画像形成材料を用いて、目標印刷物の複数版の刷り重ね部分の色調を再現するための濃度で、プルーフ階調画像を形成させる画像形成方法において、前記再現するための濃度は、前記目標印刷物における上に刷り重ねられる上側インキの単色の色調又は濃度と、前記上側インキの主要構成成分とに基づき、前記再現する濃度を決定することを特徴とした。
【００４８】
請求項２８記載の発明は、前記上側インキの主用構成成分は、金属顔料インキの成分とそれ以外のインキの成分に分類され、前記再現する濃度は、その分類に応じて決定をされることを特徴とした。
【００４９】
請求項２９記載の発明は、金属銀色顔料インキの成分と、金属銀色顔料以外のその他の金属顔料インキの成分とに小分類して、この小分類に応じて前記再現する濃度が決定されることを特徴とした。
【００５０】
請求項３０記載の発明は、プルーフ画像出力装置は、少なくともシアン、マゼンタ及びイエローを発色可能なハロゲン化銀乳剤層を有するハロゲン化銀感光材料を、前記目標印刷物の画像データに基づいて光量を変化させて画像露光を行った後、発色現像処理することを特徴とした。
【００５１】
請求項３１記載の発明は、目標印刷物がシアン、マゼンタ及びイエロー以外の特色を含む画像を再現するプルーフ画像であることを特徴とした。
【００５２】
請求項３２記載の発明は、２種以上のインキ層を刷り重ねて色調を表現する目標印刷物に対応して、ｎ種の色を発色させて組み合わせて表現するプルーフとしての面積階調画像をプルーフ画像出力装置に形成させる画像形成方法であって、
前記目標印刷物の刷り重ね部分の濃度Ｄを、上色濃度Ｏ、下色濃度Ｕにより、下記の式で算出し、その濃度Ｄに対応して前記プルーフ画像出力装置に前記プルーフを出力させることを特徴とした。
Ｄｊ＝Ａｊ×Ｏｊ＋Ｂｊ×Ｕｊ
但し、ｊ：２からｎまでの整数、
Ａｊ：トラッピング率、０≦Ａｊ≦１、ただし少なくとも、Ａｊの内、１つが０よりも大きく１よりも小さい。
Ｂｊ：透明度係数、０＜Ｂｊ≦０．３（Ｏｊのインキが金属顔料インキの場合）、
０．７≦Ｂｊ＜１（Ｏｊのインキが金属顔料以外の他のインキの場合）
【００５３】
請求項３３記載の発明は、前記上色の濃度Ｏｊを構成するインキが、金属銀色顔料インキのとき、０＜Ｂｊ＜０．１、金属銀色顔料インキ以外の他の金属顔料インキのとき、０．１≦Ｂｊ≦０．３であることとした。
【００５４】
請求項３４記載の発明は、コンピュータに印刷物の色を特定できる色特性を取得できる取得装置と、基本色の濃度に応じたデータを受けて前記印刷物に印刷するプルーフ画像出力装置とを制御させて所望の印刷を行うためのコンピュータプログラムであって、前記コンピュータに対して、前記プルーフ画像出力装置の特性である色特性対基本色の濃度特性テーブル、及び予め基準となる前記印刷物を基準となる前記プルーフ画像出力装置で印刷したときの基本色の濃度を含む標準データとを記憶させ、前記取得装置から受けた、取得した色の前記色特性を所望の色に変更又は取得していない色を追加するため条件を視覚的に入力操作可能に表示するＧＵＩを実行させ、前記ＧＵＩで設定された条件で取得された色の色特性を変更又は追加して出力させ、前記変更されて出力される各色についての色特性を前記濃度特性テーブルを参照して基本色の濃度データに変換させ、前記変換で得られた前記基本色の濃度と前記標準データとを比較し、差分に応じて変換で得られた基本色の濃度を補正させ、前記補正手段から出力される基本色の濃度データを前記プルーフ画像出力装置へ送らせるために記憶させる構成とした。
【００５５】
請求項３５記載の発明は、網点を複数画素の集合体として面積階調の画像を形成するために用いられるコンピュータプログラムであって、コンピュータに対して、予めプルーフ画像出力装置の露光を行うための基本色の濃度対光量特性を記憶させ、目標印刷物の色の色特性を取得させ、前記色特性を基に前記色特性に対する基本色の濃度を求めさせ、画素を識別する画素情報を生成させ、前記画素情報を基に、前記濃度対光量特性を参照して、前記求めた基本色の濃度を画素単位の光量に演算させる構成とした。
【００５６】
【発明の実施の形態】
先ず、理解を深めるために、本発明に係る用語と用語に係る技術について説明する。
【００５７】
［用語と関与技術の説明］
（１）色の表記
この明細書中の説明に使用する印刷インキの色の表記は、図２３に従う。
【００５８】
（２）網点画像（色、特色）の形成
従来技術でも簡単に説明しているが、追加説明しておく。図１にデジタルカラープルーフにおける網点の模式図を示す。図１に示すように、画像は画素（図中では○で表した）に分割され、網点はこの画素の集合体として表される。その際、網点の重なった部分は、画素を共有することになる。例えば、図１は、基本色としてＹ（イエロー）、Ｍ（マゼンタ）、Ｃ（シアン）の各網点としているので、Ｙの網点とＭの網点が共有する（重なっている）画素は赤、Ｙの網点とＣの網点が共有する画素は緑（Ｇ）、Ｙ、Ｍ、Ｃの網点が共有する画素は黒（ＧＹ：灰とも言われる。）で表される。
【００５９】
また、印刷物によっては、ＹＭＣ、或いはＹＭＣＫ以外の特別な色、いわゆる「特色」が用いられることがある。この特色のインキの版は「特色版」と呼ばれる。特色インキとしては、緑色、オレンジ色などのインキの他に、金色、銀色その他のメタリックカラーのインキ等の各種のインキが用いられる。さらに特色インキは、濃度が均一でない場合があり、ラメや金粉の混ざったものなどが用いられることもある。特色版は、ロゴのように予め特色であることが指定されている画像部品を再現する場合や、特色インキで刷ることによってカラー画像の色再現性を高めたい場合などに用いられることが多い。図１には示していないが、特色版の網点がある場合には、該当する画素の色を特色に近似な色に調整することによりこれを表現することができるし、さらに特色版と他の版で共有されている画素を、刷り重ねの順序、個々の版の色、各インキの特性（透明度、インキののりやすさ等）を考慮した色に調整することにより表現することができる。
【００６０】
（３）目標印刷物と測定（色データの取得）
画像形成（印刷）条件を決めるためには、実際の印刷物では各色がどのように再現されるかを調べる必要がある。このため、実際の印刷で用いられるインキ、プルーフ画像出力装置を使った印刷物で基本となるデータを取得する必要がある。本発明ではこれを目標印刷物と呼ぶ。このようにすることで、色再現に必要な条件を精度よく決めることが可能となる。したがって、目標印刷物は、少なくともＹ、Ｍ、Ｃ、Ｋの各プロセスインキでの印刷物を含むことが好ましく、さらにＫとＹ等が重なったオーバープリント色を含むことが好ましい。特色を含んだ印刷では、プロセスインキでの印刷物に加えて特色インキでの印刷物を含むことが好ましく、特色インキのプロセスインキの刷り重ねられた印刷物を含むことが好ましい。色の再現の精度からいうと印刷物は多いほど好ましいが同時に測定の負荷も増えるため求める精度と負荷の関係で印刷物を決めることが好ましい。
【００６１】
また、本発明において目標印刷物を測定すると記載している場合であっても、予め測定されているインキと同じインキを使う場合のようにデータを適当な媒体から読み込むことによりその目的を達成できる場合は、これをも含めて測定と記載している。また、求める精度との関係で代表的なインキのデータで代用する事も可能であり、こうした場合も含めて測定すると記載している。
【００６２】
（４）濃度、Ｌ＊ａ＊ｂ＊及び色の測定
ここにいう濃度とは、主に光学濃度を意味するが、実質的にこれと同じ意味をもつ他の量に置き換えることが可能である。例えば、ＣＬＩＥＡＢ色空間におけるＬ＊、ａ＊、ｂ＊等が変換可能なその代表値としてあげることが可能である。このほかには、ＣＩＥＬＡＢ色空間、ＸＹＺ色空間の座標値を好ましく用いることができる。ＣＩＥＬＡＢ色空間とは、ＣＩＥ  １９７６（Ｌ＊ａ＊ｂ＊色空間）を指し、その座標の求め方については、ＪＩＳ  Ｚ  ８７２９−１９９４  に記載されている。ここで、Ｌ＊ａ＊ｂ＊を、この発明では、色の「特性」と言う。
【００６３】
［全体構成の概略説明］
図２は、発明実施する上で必要な画像出力システムの全体構成の一例を示す。図３は、図２の中で、本発明の主要構成である画像情報処理装置１００の詳細な機能構成を示す図であって、図３の符号６から１５の要部が画像情報処理装置１００に含まれる。図４は、図２の構成の概略の動作フローを説明するための図である。先ず、図２を用いて概略の全体構成を説明する。
【００６４】
図２において、プルーフ画像出力装置１は、データを一時記憶し、記録タイミングを調整するためのバッファ、印刷媒体（例えば感光材料）を、インキ、印刷用紙等の条件を反映して上記の画素毎に露光を行ことによって所望のプルーフを得るための露光手段、感光材料を搬送するドラム、これらの手段に対して必要な条件で制御する制御手段を備えている。さらに、露光手段は、各種の光源（レーザ或いは発光ダイオード（ＬＥＤ）等）、光源からの光量を調整する手段、光源からの光を主走査方向或いは副走査方向に走査して感光材料の所定位置を印刷するための走査手段を備えている。制御手段は、ＣＰＵ（コンピュータ）及び各部を制御するための画像出力制御プログラム、その画像出力制御プログラム及び露光用データ等を記憶するメモリからなり、ＣＰＵが画像出力プログラムを実行することにより、制御部として機能している。
【００６５】
なお、露光手段（詳細は［露光手段］の欄で後記）は、入力される濃度データから各光源の光量を決定して露光するため、図２の画像情報処理装置１００は、この露光手段の特性にあったデータ（これを以下、この露光手段にあったデータを生成する上で参照するための露光手段の特性を濃度特性ファイル（請求項でいう「色特性対基本色の濃度の特性データ」である。）という。）を提供する必要がある。この点は、重要なので［濃度特性ファイルの生成］の欄で後記する。
【００６６】
測定装置３は、目標印刷物２の各色がもつ特性を取得するために測定する測定器（取得装置）である。各色がもつ特性とは、濃度も含まれるが、この例では、ＣＥＩＬＡＶ色空間におけるＬ＊、ａ＊、ｂ＊を測定して出力している。ここでは、区別しなければ、各色が持つ特性をＬ＊、ａ＊、ｂ＊と纏めて言うことがある。
【００６７】
画像情報処理装置１００は、ＧＵＩ２００（Ｇｒａｐｈｉｃａｌ  Ｕｓｅｒ  Ｉｎｔｅｒｆａｃｅ手段：図３を参照）を有し、全体の制御も兼ね、測定装置３からの各色についての測定データＬ＊ａ＊ｂ＊を、前記濃度特性ファイルのデータを参照して、基本色、ここの例では、Ｙ、Ｃ、Ｍの各の濃度に変換してプルーフ画像出力装置１へ出力する。
【００６８】
画像情報処理装置１００は、ハード構成は、ＣＰＵ１００ａ及びメモリ１００ｂを有している。メモリ１００ｂには、操作者が表示手段４を見ながら、視覚的に操作手段５を操作するためのＧＵＩプログラム（グラフィック・ユーザ・インタフェースと呼ばれ、容易に、視覚的に入力操作ができるプログラム）、並びに画像情報処理装置１００の内部、測定装置３，プルーフ画像出力装置１と情報をやりとりするための制御プラグラム等をＣＰＵ１００ａで実行可能に備えている。なお、画像情報処理装置１００は、一般のコンピュータであってもよくプルーフ画像出力装置１と同じ筐体に収められていてもよく、前記ＧＵＩ及び制御を含むプログラムを装着することにより、実施可能とされている。（各部の詳細は、［実施例１］で説明。）
【００６９】
［露光手段の説明］（この欄では、符号のない名称のものは図示していない。）
画像情報処理装置１００によって生成された各Ｙ、Ｍ及びＣ（或いはＹＭＣＢ）の各強度（濃度或いは濃度に対応した光量：露光エネルギー）を表した網点画像データを受けて、一時的バッファに入れ、これをドットクロックで読み出して、光源、例えば、緑色レーザ光源、赤色レーザ光源、赤外レーザ光源を前記網点画像データのＹ、Ｍ、Ｃの強度に対応した、かつ発光し、インキの色および／または印刷用紙の色（例えば、白地）に対応した色を持つ画像を露光する。
また、露光制御部（ＣＰＵ及びプログラムで構成される。）が、ドラムにおける感光材料の先端位置の位置をセンサ類が検出してエンコードしたパルス信号のカウントに基づいて、光源を含む光学系から射出される光の照射位置に感光材料の画像記録領域があるように制御している。そして、ドラムに保持されている感光材料に対して網点画像の画像出力（露光）を行う。
【００７０】
なお、感光材料に記録される画像の画像記録密度は、網点画像による階調の再現性などの観点から主走査方向及び副走査方向共に６００ｄｐｉ以上（特に１０００ｄｐｉ以上、更に１２００ｄｐｉ以上）が好ましく、また、網点画像による階調の再現性の飽和や画像記録速度や装置コストなどの観点から主走査方向及び副走査方向共に１万ｄｐｉ以下（特に５０００ｄｐｉ以下）が好ましい。主走査方向及び副走査方向の画像記録密度は、主走査方向又は副走査方向１インチの長さの中に、画像記録される画素が幾つ並んでいるかを示すｄｐｉという単位で示される。
【００７１】
また、１つの網点は、１００以上（特に２００以上）の画素から記録されていることが、実際の印刷の網点に近い再現になり好ましい。また、１つの網点は、特に２０００以下の画素から記録されていることが画像データの取り扱いが容易で、高速に画像データを処理でき好ましい。
【００７２】
また、露光の光の各色の１秒当たりの記録画素数は、３００万画素／秒以上（特に１０００万画素／秒以上）であることが好ましい。また、露光光の各色の１秒当たりの記録画素数は、４０億画素以下（特に５億画素以下）が好ましい。これにより、駆動回路、露光出力強度が安定し、高速画像記録と高精細な画像記録を両立させることができる。また、調整が容易になり、コスト上も好ましい。
【００７３】
なお、上記露光を行うための手段としての光学的ハードウェアしては、例えば、光源としてＢのＬＥＤを主走査方向に１０個並べ露光のタイミングを少しづつ遅延させることによって同じ場所を１０個のＬＥＤで露光出来るように調整してある。また、副走査方向にも１０個のＬＥＤを並べ隣接する１０画素分の露光が１度に出来る露光ヘッドを準備した。Ｇ、Ｒも同様にＬＥＤを組み合わせて露光ヘッドを準備した。各ビームの径は約１０μｍで、この間隔でビームを配列し、副走査のピッチは約１００μｍとした。１画素当たりの露光時間は約１００ナノ秒であった。
【００７４】
ハロゲン化銀感光材料を用いた例について説明すると、画像データ（濃度データ）は、最終的に各画素毎の露光量データに変換され、露光手段に転送され画像露光が行われる。画像データから露光手段へのデータ転送のフローを図２２に示す。
【００７５】
本発明に係る画像情報処理方法、画像情報処理装置、画像出力システム、画像形成方法及びプログラムにおいて行われる、画像データ（濃度データ）から画像出力に用いられる露光データへの変換過程のデータの一例について図２１に示した。これらは、本発明の効果を損なわない範囲において、任意に分割、統合することができるし、異なる量（例えば濃度値として表現されているものをＬ＊、ａ＊、ｂ＊で表現する等）で表現してもよい。
【００７６】
ここで、図２１Ａ、図２１Ｂ及び図２２を基に、画素毎の露光量を得る手法について説明しておく。まず、データを読み込む画素の番号（カウンタ：ｉ）を１に設定し（図２２のＳ２１）、画素１におけるＹ、Ｍ、Ｃ、Ｋ、特色があるか否かを表す画像データを図２１Ａ（ａ）のように読み込む（Ｓ２２）。次にどの色が発色しているのかを組み合わせて画素の色を判断する（Ｓ２３）。これはテーブルを参照することにより達成される。たとえば図２１Ａ（ａ）における画素１ではＹのみが発色しているので画素の色の図２１Ａ（ｂ）の判別テーブルのＹのみが１になっている欄で、画素の色はＹであると判断される（図２１Ａ（ｃ））。画素３ではＹとＭが発色しているため画素の色はＲとなる。同様に画素４はＫのみ発色しているため色もＫであり、画素５はＫとＭが発色しているので画素の色はオーバープリント色であるＫ＋Ｍとなる。こうした変換により図２１Ａ（ｃ）のように画素別画像データを作成する。次に、この色を作り出すためにＹ、Ｍ、Ｃ各画像形成層に与えるべき露光量をテーブルから読みとり（図２２のＳ２４）、各画素毎に各層に与える露光量を並べた画像データとし、このデータをプルーフ画像出力装置１（露光手段）へ転送する（図２２のＳ２５）。
【００７７】
この作業の具体的な流れを、ハロゲン化銀感光材料の特性をアナリティカル濃度（１００倍して整数化してある）で表した例で説明する。画素の色から色毎の各感光層の濃度テーブル図２１Ｂ（ｄ）（カラーコレクションテーブル：ここでは、濃度値をコード化して示した。）を参照して各層のアナリティカル濃度を求める。この例では、図２１Ｂ（ｄ）では、画素１はＹのみレベル１（アナリティカル濃度１１０）に発色させることがわかる。これを基に図２１Ｂ（ｆ）の感光材料特性テーブルからＹの露光量はレベル（ｎ−４）であることが分かる。同様にしてＭ、Ｃについて露光量レベルを決めることができる。このようにして図２１Ｂ（ｇ）の画素毎の露光量データが作成される。
【００７８】
画素毎の処理が終わるとカウンタを＋１して次の画素についての処理を行う。以下これを繰り返し各画素毎の露光量のデータを作成する。画像出力手段へのデータ転送のタイミングは画素単位で行ってもよいし、１回の主走査に必要なデータの処理が終わった時点でもよいし、全てのデータ処理が終了した時点であってもよい。画像出力手段ではこのデータを必要に応じてデバイスを制御する信号に変換して露光を行う。
【００７９】
プルーフ画像出力装置１では、前記画素毎の露光量データをもとに必要に応じて露光手段の駆動信号に変換し露光を行う。この露光手段の駆動信号に変換するプロセスは、制御手段に含ませることもできる。プルーフ画像出力装置１では、必要に応じてデータバッファを用いて露光のタイミングを調整してもよい。
【００８０】
この時に想定したデータの構造を図２１Ａに示した。画像データとしては、画素の順に各色が発色しているかどうかのデータのみを持つものと想定した。上記図２１Ａ，図２１Ｂで説明したように、Ｙ、Ｍ、Ｃ、Ｋ、特色の発色の有無の組み合わせのパターンから、テーブルを参照して画素の色が判断され、次に画素の色とＹ、Ｍ、Ｃ画像形成形成層の露光量のテーブルを参照し各層に与えるべき露光量が決定される。このように、画素の色を判断する所と画素の色から各画像形成層の露光量を決定する所を分離しているのは、例えばＲを単色のＹとＭの単なる足し算ではなく独立に設定できるようにしたもので、要求する仕様により単純な足し算で表現してもよい。このように独立して設定できるようにすることで、より印刷に近似な画像を得ることができるし、また２つの画像データを使って緑と赤の２色で印刷するような場合の画像のチェックにも用いることができ、有用性の高いシステムが実現できる。
【００８１】
上記の説明は、露光デバイスが一つのケースについて述べているが、露光デバイスが副走査方向に１０個並べられている場合であれば、画素１〜１０が副走査方向に並んだ画素を表し、主走査方向に１画素分ずれたデータは画素１１〜２０で表すというように読み替えて考えればよい。
【００８２】
［実施例における印刷条件］
これから説明する実施例の印刷条件等を予めここで示しておく。条件の概要は、特色Ｓ１（メジウム含有量多い透明な薄緑インキ）及び特色Ｓ２（透明度低い金属銀色インキ）の目標で、目標印刷物を作成して準備し、各種条件変えてカラーコレクションテーブル作成するものであるが、詳細条件は、この例では、次の通りとする。
・プロセスインキ：大日本インキ化学工業（株）製  スペースカラー  バリウスＧ
・特色インキ色Ｓ１：大日本インキ化学工業（株）製  Ｆグロスメジウム  ７５．１％、カラーガイド用グリーン２１．８％、ＦＧ４５透明黄３．１％    ＤＩＣ  Ｎｏ．１５
・特色インキ色Ｓ２：大日本インキ化学工業（株）製  ＮＣＰシルバー  （銀色）ＤＩＣ  Ｎｏ．６２１
・透明性成分：着色性成分      Ｓ１  ７５．１：２４．９    Ｓ２  ０：１００
・刷り順：Ｋ→Ｃ→Ｍ→Ｙ→Ｓ１→Ｓ２
・印刷機：ローランド  Ｒ７０４
・用紙：三菱製紙株式会社製の特菱アート  １１０ｋｇ／四六判版  ＫＰＧサーマルＣＴＰプレート  ＴＰ−Ｒ
・スクリーン：１７５線  チェーンドット
・目標濃度値（ＤＩＮ−ＮＢ）：Ｙ＝１．１、Ｍ＝１．５、Ｃ＝１．５、Ｋ＝１．８
・目標ドットゲイン：１７％（５０％部）
・測定条件：特菱アート１１０ｋｇを２枚重ねで机上に敷いた上に目標印刷物を置き、測定装置３としてエックスライト社製５２８型濃度計を用いてＬ＊ａ＊ｂ＊値を測定した。
・目標印刷物の作成：特色２版を含む計６版の各インキ単独及び種々の組み合わせで刷り重ねた印刷物を用意した。
【００８３】
［濃度特性ファイルの生成］
濃度特性ファイルは、上記したように予め、生成、準備しておく必要がある。つまり、予め用意されたハロゲン化銀感光材料のシアン、マゼンタ、イエローの発色量の組み合わせとその組み合わせで表現される濃度と色特性Ｌ＊ａ＊ｂ＊（色調ともよばれている）の関係を表すテーブル（濃度特性ファイル）を用いることが必要である。濃度特性ファイルの作成は、デジタルデータに基づいて波長の異なる光源を用いて、任意に光量を変化させて画像露光を行い、シアン、マゼンタ、イエローを発色可能なハロゲン化銀乳剤層を有するハロゲン化銀感光材料を任意に発色させた組み合わせを作成し、その濃度あるいは色調を測定してカラーコレクションテーブルとの関係を対応させることによって可能である。また、シアン、マゼンタ、イエローの全てのカラーコレクションの組み合わせを作成しなくても、中間領域はデータを補完することで設定することができる。
【００８４】
［ハロゲン化銀感光材料及び現像処理］
ハロゲン化銀感光材料として特開２００２−３４１４７０号公報の実施例１に記載のハロゲン化銀感光材料Ｎｏ．１０１を用い、上記の露光手段（露光ヘッド）により、Ｂ、Ｇ、Ｒの光源を発光強度を変えて単独で発光させ、露光後、特開２００２−３４１４７０号公報の実施例１に記載の現像処理を行った。この試料のＹ、Ｃ、ＭのステータスＴ濃度を測定し、光量対発色濃度の対応を表す感材特性テーブルを得た。結果を図５に示す。光量値は最大光量を４０００とした相対値で表示した。
【００８５】
［感材特性テーブル］
感材（感光材料）特性テーブルは、写真業界でよく知られた特性曲線に相当するテーブルであり、濃度とそれを得るのに必要な露光量の関係を表す。感材特性テーブルの作成は、露光量を低露光量から高露光量まで連続的または断続的に変化させて露光を行い、現像処理を経て生成した画像の濃度を測定して、露光量と発色濃度の関係を対応させることで得られる。
【００８６】
例えば、画像形成に要するエネルギー（露光量）と濃度の関係を、任意の刻みでエネルギーを変化した全ての組み合わせでカラーパッチを作成し、これを測定した結果をデータベースとしておけば、画像データによって画素の色が決められた時、このデータベースを参照することにより各層に与えるべきエネルギーを求めることができる。しかし、この場合、精度を上げるためには膨大な量の測定を行い、データベースを作成する必要があるし、感光材料の特性の変動（感光材料の製造バラツキによる変動の他、処理液の性能の変化によって変動する）を吸収するための手段が別途必要となる。これに対して、感材特性テーブルを用いた方法では、このテーブルを書き換えることで変動を吸収することができ好ましい。
【００８７】
［濃度特性ファイル］
上記の感材特性テーブルを参照して、図７に示したＣ、Ｍ、Ｙの各濃度を発色させるＢ、Ｇ、Ｒの光量を組み合わせることにより、１５×１９×１９色  計５４１５色のカラーパッチを出力し、Ｌ＊、ａ＊、ｂ＊及びステータスＴのＹ、Ｍ、Ｃ濃度を測定した。次に、色パッチのＬ＊、ａ＊、ｂ＊と、そのパッチを作成する際に与えたＢ光のみで発色させたＹパッチのＹ濃度、Ｇ光のみで発色させたＣパッチのＣ濃度、Ｒ光のみで発色させたＭパッチのＭ濃度をもとめ、この３種の量を対応させたテーブルを作成することによって、濃度特性ファイルを作成した。５４１５色のデータで膨大となるため図示を省略するが、イメージ的には、図６のようにＹ、Ｍ、Ｃの濃度の３次元座標においてＬ＊、ａ＊、ｂ＊のパラメータで色が特定されるようになる。
【００８８】
このようにして作成された濃度特性ファイルは、本発明の構成である図３の記憶手段１３に記憶されている。濃度特性ファイルは全色を測定して作成することが望ましいが、１８色或いは６色等を測定してあとは特色のノセ状態を演算してもとめることもできる（後の実施例２で説明する）。
【００８９】
［カラーコレクションテーブル］
前述のように、デジタルカラープルーフにおいては、画像は画素に分解され、この画素の集合体として網点が再現される。このため、画像データとして画素の色が決められた時、この色を具体的に規定する。すなわち、画像データが赤であった場合でも、それが濃い赤であるか、淡い赤であるか、紫がかった赤であるか黄色がかった赤であるかを規定する必要がある。
【００９０】
カラーコレクションテーブルで規定する色の数は、印刷で使用するインクの数、求める再現の精度等で決まるが、例えば、プロセスインクＹ、Ｍ、Ｃ、Ｋと特色２色の組み合わせでＫとＹ、Ｍ、Ｃの組み合わせを考慮するとインクのない部分（白：Ｗ）を合わせて１６色となり、これと特色２色の重なりを考慮すると６４色になる。
【００９１】
次にカラーコレクションテーブルを作成する方法について説明する。一つの方法は、上記の組み合わせに相当するインキを刷り重ねた印刷物を用意しこれを測定する方法である。これは理想的ではあるが、前記のように色材の違いによる補正を加えなければならないこと、特色インキの種類は非常に数が多く、また、印刷用紙の種類によっても仕上がりは大きく変化する。このため、すべての場合について正確なデータを得ることは現実的に不可能であることから、少ない数のデータから何らかの演算手段により求めることが好ましい。詳細は実施例１の中で説明する。
【００９２】
［アナリティカル濃度の説明］
アナリティカル濃度は写真の分野でよく用いられる濃度の概念であるが、Ｙ、Ｍ、Ｃ色素を任意の量で発色させた時、Ｙ色素だけを同量発色させたときのＢ濃度をアナリティカルＢ濃度と呼び、Ｍ色素だけを同量発色させたときのＧ濃度をアナリティカルＧ濃度、Ｃ色素だけを同量発色させたときのＲ濃度をアナリティカルＲ濃度と呼ぶ。アナリティカル濃度は概念的な量であるが、計算によって求めることもできる。アナリティカル濃度に関しては、Ｔ．Ｈ．Ｊａｍｅｓ編、Ｔｈｅ  Ｔｈｅｏｒｙ  ｏｆ  Ｔｈｅ  Ｐｈｏｔｏｇｒａｐｈｉｃ  Ｐｒｏｃｅｓｓ、Ｍａｃｍｉｌｌａｎ、Ｎｅｗｙｏｒｋ、ｐ．５２４−５２９（１９７７）に記載されており、これを参考に求めることができる。本発明の有用な態様として反射支持体を有するハロゲン化銀感光材料を使用したシステムを挙げることができ、この場合は、アナリティカル濃度も反射濃度として表しておくことが好ましい。ここでアナリティカル濃度と呼んでいる量は、本来のアナリティカル濃度から変換した数値であってもよい。数値の取り扱いとしては、アナリティカル濃度を１００倍して整数化した方が扱いやすく、好ましい。
【００９３】
［カラーコレクションテーブルと感材特性データとの組み合わせによるメリット］
前記の画素をどのような条件で作成できるかを求める方法としては、例えば画像形成に要するエネルギーと濃度の関係を、任意の刻みでエネルギーを変化した全ての組み合わせでカラーパッチを作成し、これを測定した結果をデータベースとしておけば任意の色を与えられた時、このデータベースを参照することにより各層の与えるべきエネルギーを求めることができる。しかし、この場合、精度を上げるためには膨大な量の測定を行い、データベースを作成する必要がある。一方、アナリティカル濃度により表現する方式においては、Ｙ、Ｍ、Ｃ各層に与えるエネルギーと発色濃度の関係を求めておくことで少ないデータで精度よく必要なエネルギーを求めることが可能となり、システムの設計段階あるいは感光材料の色材の変更などに対しての対応が容易であるというメリットを有する。
【００９４】
さらに重要なことは、プルーフ画像出力装置１は、特に露光手段は、環境起因による露光量の変動や、現像処理の活性の経時変動等により、基準の条件から変動して、発色する濃度や特性（色調）にずれが生じる場合がある。この場合に備え、本発明においては、生成された画像の濃度や特性（色調）を測定し、その測定値から予想値との濃度差、色差を計算し、予想値からのずれ量を算出して、ずれ分を露光量にフィードバックを行い、補正を行うことができる方法、手段を有する。
【００９５】
［実施例１：本発明の詳細構成及び動作の説明］（全色測定の例）
図３および図４を基に説明する。
【００９６】
図３において、表示手段４、操作手段５、パネルコントロール手段６及び表示情報記憶手段７は、ＧＵＩ２００を構成する。パネルコントロール手段６は、予め表示情報手段７に記憶されている表示情報を、電源オン、或いは操作手段５で設定されたキーに応じて画面を読み出して表示手段４に表示させる。操作者は表示手段４を見てマーカ等で視覚的に操作手段５により、選択・設定・入力の操作をすることができる構成となっている。以下、選択・設定・入力の操作は、操作手段５によってなされるものとする。
【００９７】
電源を入れるとパネルコントロール手段６は、表示情報記憶手段７から図１１Ａのメイン画面を読み出して表示する（図４のステップＳ１：以下、ステップを省略し、Ｓ番号で示す。）。操作者が図１１Ａの設定  を選択すると、図１１Ｂの測定画面が表示される。ここで色のパッチ（見本）、特色、インキ設定の画面がでてくるのでここで設定できる。ただし、この例では、特定の指示をしないと全色測定するので、このまま全色測定として説明する。なお、図１１Ｂの画面の上部のデータは、測定後の測定色についてのＹ，Ｍ，Ｃ濃度、Ｌ＊、ａ＊、ｂ＊の特性値を表示している。
【００９８】
パネルコントロール手段６から測定の指示を受けた制御部８が測定装置１（請求項の取得装置、或いは取得手段、測定手段に相当する。）を制御して、目標印刷物の全色についてのＬ＊、ａ＊、ｂ＊の測定を行わせる（図４のＳ２）。なお、測定前に、図１１Ｂの測定器キャリブレーションを設定して、測定装置を校正しておくことが望ましい。図３において、全色測定で、刷り重ねの下色を強調しない場合、及びインキ設定調整しない場合は、直接レンダリング手段１０に入る。なお、レンダリングも行わなければ変換手段１１へ入力される（図４で全てＮＯの場合）。図３のパラメータ演算手段９、レンダリング手段１０（図４のＳ３からＳ５）については、後記する。
【００９９】
変換手段１１は、記憶手段１３から、先に記憶しておいた濃度特性ファイル（図４のＳ１００）を読み出し、濃度特性ファイルの座標空間に、つまり図６のように前記測定装置３が測定したＬ＊、ａ＊、ｂ＊を当てはめ、測定したＬ＊、ａ＊、ｂ＊に相当するＹ、Ｍ、Ｃに分解した濃度Ｄｙ，Ｄｍ，Ｄｃに変換する（図４のＳ６）。なお、測定したＬ＊、ａ＊、ｂ＊と濃度特性ファイルのＬ＊、ａ＊、ｂ＊とが一致しない場合は、測定したＬ＊、ａ＊、ｂ＊に一番近い濃度特性ファイルのＬ＊、ａ＊、ｂ＊の値で代用してＤｙ、Ｄｍ、Ｄｃを決定してもよい。また、測定した目標印刷物のＬ＊、ａ＊、ｂ＊に近い複数のデータから演算することによって求めることができる。具体的な方法としては、重回帰によってＬ＊、ａ＊、ｂ＊の変化がＤｙ、Ｄｍ、Ｄｃにどのように影響するかを求め、この結果から推定する方法等がある。変換手段を経ることにより、カラーコレクションテーブルの原型ができあがる。
【０１００】
機差補正手段１２は、予め記憶しておいた機差データ（請求項の標準データ；図４のＳ２００）により露光手段の特性のバラツキによる濃度を補正する。露光デバイスとしてＬＥＤを使う場合、特開２００２−７２３６７号に記載のように駆動電流により最大発光波長がずれる現象があり、この特性はデバイスにより変動するし、同じ駆動電流を流してもデバイスにより発光量が変動する。これらの特性はひとまとめにして機差として扱うことが機構の簡素化の観点から有利である。
【０１０１】
機差データは、感材特性テーブルの作成と同様に、規定の露光量で感光材料を露光後現像処理を行い、得られたパッチを濃度測定し、基準機での濃度と評価しようとする機器の濃度（あるいはその差分）の対応としてテーブルを作成することができる。
【０１０２】
変換手段１１で作成されたカラーコレクションテーブルの各欄の数値は、機差補正手段１２によって機差を補正されカラーコレクションテーブルが完成される。
【０１０３】
記憶手段１３は、機差補正手段１２により機差を補正されたカラーコレクションテーブルを記憶し、次のプルーフ画像の出力に供するようにする（図４のＳ８）。このようにして全色測定して作成されたカラーコレクションテーブルの一例を図８に示す。なお、その他、記憶手段１３は、機差補正データ、濃度特性ファイル等を記憶しており、一つのメモリあるいは複数のメモリで構成されていてもよい。
【０１０４】
カラーコレクションテーブルのデータは、網点データ生成部１５からの画像データと併せてプルーフ画像出力装置１に転送してもよいし、予め転送してプルーフ画像出力装置１に記憶しておいてもよい。
【０１０５】
網点データ生成部１５は、上記したように網点を設け、さらにその網点の面積内に複数の画素で、画像を形成するので、その網点及び画素のデータ（座標位置を識別できる情報で、以下、網点データと呼ぶ。）を生成し、制御部８は、各部を制御して、結果として、前記露光手段を網点、画素毎に濃度を決定して制御するためのカラーコレクションテーブルを作らせる（濃度を感光材料特性に応じて光量に変換した場合は、画素毎に光量を決定したテーブルを作らせる）。
【０１０６】
（ノセ演算手段９及びその画面）
特色には２つの使い方があり、プロセスインキの画像の上に特色インキの画像が刷り重ねられている場合（これをノセと呼ぶことがある）と、プロセスインキによる画像をなくし特色画像だけを印刷する場合（これをヌキと呼ぶことがある）である。ヌキの場合には、特色インキの色を考慮することで足りるが、ノセの場合にはインキの特性を考慮する必要がある。
【０１０７】
上記の説明の中におけるパラメータ（ノセ）演算手段９（以下、ノセ演算手段９という。）は、次のようにこのノセについて使用される。
【０１０８】
（イ）測定装置３で測定していない色について演算でＬ＊、ａ＊、ｂ＊を求める場合に使用される。これは、図４において、ノセを行う（図４のＳ３）、表示画面にて条件を指定し、ノセ演算手段９によるノセ演算を行う（図４のＳ３ｂ）ものである。
【０１０９】
（ロ）印刷の仕上がりを予測するというプルーフの目的に照らして、第１義には印刷と近似な仕上がりとなることが望まれる。しかし、上に透明度が低いインキが刷り重ねられる場合には、プルーフとしては透明度が高く再現される方が、下になる画像の状況が判別しやすく有利に用いられることがある。つまり、重ね刷りの下色を指定して下色を視覚的に認識・操作可能にし、結果として検版を可能にする場合（図４のＳ４−ＹＥＳ，Ｓ４ａ）で、ＧＵＩ２００で図１１Ｃに示す画面を読み出し、ノセ色（下色）を選択して、画面右側の上段の濃度Ｄｙ、Ｄｍ，Ｄｃを下段のように調整することができる。指定は、図１１Ｃの画面では隠れているが、操作者がＬ＊、ａ＊、ｂ＊で指定して調整できる。なお、指定されたＬ＊、ａ＊、ｂ＊は、パラメータ演算手段９で測定値ともに加減算されて（図４のＳ４ｂ）、レンダリング手段１０へ送られる。
【０１１０】
（ハ）ノセの場合の再現色の計算に当たっては、インキの特性を考慮する必要がある。主な特性としてはインキの透明度で、これは主に刷り重ねるインキ（これを上色と呼ぶことがある）によって決まり、最終的な色に対する下になるインキ（これを下色と呼ぶことがある）の寄与の大きさを表す。もう一つの重要な特性は、トラッピング率で、上色と下色のインキの組み合わせや印刷版の印刷順序によって決まり、最終的な色に対する上色のインキの寄与の大きさを表す。これ以外の因子を考慮することがより精度を上げることができ好ましいが、効果の大きさは小さく作業の負荷を考慮すると前記２つの因子を考慮することが好ましい態様である。
【０１１１】
これらの要因を反映して調整するのが、本機能であるが、本機能は図１１Ｂの画面或いは図１１Ｆの画面をＧＵＩ２００で出力させ、画面を見ながら設定・調整する。設定された条件に基づいてノセ演算手段９が演算してレンダリング手段１０へ送られる（図４のＳ４−ＹＥＳ，Ｓ４ａ、４ｂ）。詳しくは、［インキ設定］の欄で後記する。
【０１１２】
（レンダリング手段１０とその画面）
レンダリング手段１０による補正では、印刷用紙の紙質による補正、濃度域のよる好ましい色調の補正等を行う。例えば、目標印刷物に対して、シアン、マゼンタ、イエローを発色可能なハロゲン化銀乳剤層を有するハロゲン化銀感光材料を用いてプルーフ画像を形成する場合、その着色剤の性質や用いられる用紙の差異などに起因して、必ずしも同一の濃度、色調に合わせることが目視での近似性に関して最適になるとは限らない場合がある。レンダリング手段１０は、その用紙等の差を調整するための手段である。用紙としては、アート紙・コート紙、マット紙、上質紙・色上質紙等を設定できる。
【０１１３】
ＧＵＩ２００で図１１Ｇに示す画面を読み出し表示されるので、操作者はそれを見ながら調整・設定ができる。調整・設定された情報やパラメータは、測定装置３で測定された、或いはノセ演算手段９でＬ＊、ａ＊、ｂ＊とともに、レンダリング手段１０で演算されて変換手段１１へ送られる（図４のＳ５−ＹＥＳ，Ｓ５ａ、Ｓ５ｂ）。
【０１１４】
次に、用紙等の設定について説明する。
印刷用紙の設定が図１１Ｇの画面で設定できるが、その印刷用紙に上質紙等を用いた印刷物は仕上がりの濃度が低く、比較的薄い画像が形成される。この場合、ハロゲン化銀感光材料のプルーフにおいては、濃度、色調の数値で近似させた画像はコントラストの不足した画像になる場合がある。その場合「レンダリング設定」画面において、コントラストを高めるような調整を行う。また、同様に上質紙に印刷された印刷物上のＫ（墨、ブラック）色の文字品質に関して、視認性を上げる目的で、墨版の画像が存在する領域、すなわち墨色とオーバープリントの部分のコントラストを高めるための操作を行うのが「レンダリング設定」画面中の低濃度補正である。また、墨の濃度については、単独で調整可能な設定画面を有している。
【０１１５】
また、印刷用紙の種類としては、多くの場合、アート紙、コート紙の群、マット紙の群、上質紙の群の３段階に分けることでほぼ所望の結果を得ることが可能となる。同じ上質紙に分類される印刷用紙でも着色の度合いによって補正のレベルを変えることが好ましい。
【０１１６】
また、プルーフ画像出力装置１やインキ、印刷条件などによって印刷用紙、あるいは転写済みのインキ上へのかさね色インキの転写量が様々である。前述のトラッピング量に応じてその着色量の計算を調整するのが「レンダリング設定」画面中のトラッピング補正である。
【０１１７】
（単色エジットとエジット手段１４）
図３のエジット手段１４は、カラーコネクションテーブルのデータを個々に微調整するための機能である。印刷出力したものを再調整する場合に有効である（図４のＳ１０、Ｓ１２）。図１１Ａのメイン画面中のプルダウンメニュー、図１１Ｄで調整したい色を選択する。図１１Ｄの画面には目標とする印刷物の色調と、計算上で設定されたカラーコレクショテーブルで生成されるプルーフの色調と、そこからカラーコレクションテーブルを調整したときに変動する色調をシミュレートした色調が表示手段４上に表示される。これらの色調と出力試料および目標印刷物を参照しながら色調を画面の調整ボタンで調整する。調整設定された条件をもとにカラーコレクションテーブルを演算し、演算後この値を用いて再計算を行って（シミュレート演算）表示する（図４のＳ１２）。
【０１１８】
（測定フィードバック）
プルーフを出力後の色を再測定して、その際測定した測定値に基づいてカラーコレクションテーブルをプルーフ画像出力装置１へをフィードバックをして、再出力させて確認する（或いは確認してズレがあれば微調整するために）ために用いられる機能で、図１１Ｈの画面（測定画面のサブ画面）で操作して実行できる。主に、制御部８が行っている。
【０１１９】
図１１Ｈの画面に指示された色をプルーフ画像の中から選択して濃度等を入力する。測定された値と、計算で求められた色との濃度差、あるいは色差を計算し、ずれ分をソフト内で計算を行い、カラーコレクション値の差分として算出して、差分を補正されたカラーコレクションテーブルを再出力する。
【０１２０】
［実施例２：ノセ色演算］
測定できなかった刷り重ね部分の色を
・印刷インキの性状
・印刷用紙の種類
・印刷条件  等
に応じて既測定の濃度または色調値を元に計算を行って生成することができる。
図３のパラメータ（ノセ）演算手段９を使用することによって、目標印刷物からＸの数だけの色を測定し、他の色のＬ＊、ａ＊、ｂ＊を求め（図４のＳ３−ＹＥＳ、Ｓ３ａ、Ｓ３ｂ）るものである。
【０１２１】
通常、印刷物の２色以上が重なった色調を、ハロゲン化銀感光材料の発色で良好に再現させるためには、２色のそれぞれ単独の色を再現させるのに要するＹ、Ｍ、Ｃの各濃度成分の単純な和では再現することはできない。また、機器の露光量制御を正確に行うためには露光量の制御範囲を狭めることが好ましく、この場合、好ましい発色濃度が求められてもこれを実現できないことがあり得、特に多くのインキが刷り重ねられた色でこのようなことが起こりやすい。そのため、印刷インキの重なった色に近似した発色を再現させるためには、一定の規則に沿った光量制御が必要となる。
【０１２２】
本発明において、印刷物におけるＸ色（Ｘは２以上の整数）のインキ重なり部の光量の設定に関しては、印刷順に重なって新たに生成された１色目と２色目の重ね色を１色として設定したのち、新たに設定された１色目と２色目の設定値と３色目との関係から次の重ね色の設定ができる。複数の刷り重ね色の設定は、印刷順に重なって新たに生成された１色目と２色目の重ね色を１色として設定した後、新たに設定された１色目と２色目の設定値と３色目との関係から次の色の設定をしてもいし、１色目と２色目を下色として特性を設定し、３色目を上色として設定してもよい。
【０１２３】
（インキ設定）
インキの設定は、図１１Ｆの画面で視覚的に設定できる。ノセ色が測定できない目標印刷物のカラーコレクションテーブルを設定する際、使われ、インキに関して、成分を詳細に設定することで更に精度の高いカラーコレクションテーブルを計算ができる。
【０１２４】
分類の基準としては、主にインキの透明性、すなわち上に刷り重ねたときの下色の透け易さの度合いを分けると大きくは下記に分けられる。
【０１２５】
（イ）インキ種の選択
・金属顔料を含有して透明性の低いシルバーインキ
・金属顔料を含有して透明性の低く着色した色メタリックインキ
・普通インキ  通常の着色顔料や染料を含有したインキ
その他、添加剤の性質や添加量によってもノセ色の設定に影響を及ぼす。添加剤の種類として次のものがある。
・メジウム
・白インキ
【０１２６】
（ロ）インキの透明度
ノセ色の色調は、目標とする印刷物の上色インキの透明性成分と非透明性成分との比率によって変化する。インキ組成に存在する代表的な透明性成分は  例えばメジウム、レジューサー、コンパウンドなどが挙げられる。メジウムとは透明性の無色インキで彩度や濃度の調節や光沢を付与するために用いられる。
【０１２７】
またコンパウンドはインキと混ぜて印刷適性を改善するための、種々の製品の総称であり、インキのタックを下げるため等に用いられる補助剤である。レジューサーはインキの粘度低下やタックの調整に用いられる、腰切り剤と呼ばれる添加剤である。その他の透明性成分としてはワニス、不透明性成分としては、顔料や染料、金属粉などが分散または溶解された、市販されている一般的なインキが挙げられる。具体的には大日本インキ化学工業株式会社製  スペースカラー  バリウスＧ、バリウスＧ  ＥＳ、バリウスＧ  ＥＲ、校正用  バリウスＧ、ダイスパーク、ＮＣＰ  シルバー等、あるいは、東洋インキ製造株式会社製、ＴＫハイユニティ、ＴＫ  ハイユニティ  ＯＮ、ＴＫ  ハイユニティ  クイック、ＴＫハイエコー、ＴＫＰＤエコー、ＴＫ  ハイユニティ  ＳＯＹ、ＴＫハイエコーＳＯＹ１、等が挙げられるが、これらには限定されない。これらのインキを単独あるいは２種以上を任意の比率で調合して用いることも出来る。
【０１２８】
（ハ）インキの転写量
本機印刷機は高速に複数色の色を次々に印刷していくため、前に印刷した色が当然乾かないうちに次の色を印刷していかなければならない。その結果、インキが乾ききっていない状態で次の色を乗せようとするので、インキが１００％転移されない現象がおきる。これがウェットトラッピングという。インキの転写される割合（トラッピング率）は転写面が乾いているときほど高く、直前に多色が印刷された状態ではトラッピング率は小さくなる。
【０１２９】
目標とする印刷物のこの現象を反映して各重なり色の適正な露光光量設定を行い、最適なイエロー、マゼンタ、シアンの発色濃度を制御することでより近似したプルーフ画像を得ることができる。
【０１３０】
また感材の支持体上に少なくともシアン、マゼンタ、イエローを発色可能なハロゲン化銀乳剤層を有するハロゲン化銀感光材料を、デジタルデータに基づいて波長の異なる光源を用いて、任意に光量を変化させて画像露光を行った後、発色現像処理する階調画像の形成方法においてはイエロー、マゼンタ、シアンの各最大発色濃度（Ｄｍａｘ）を超える濃度設定は不可能なため、この範囲内での濃度設定が必要である。
【０１３１】
上記実施例１では、全色測定した例で構成を説明したが。図３のパラメータ（ノセ）演算手段９を使用することによって、目標印刷物から１８色だけ測定し、他の色のＬ＊、ａ＊、ｂ＊を求めることができる。したがって、少ない測定データで多くのデータが得られる特徴がある。以下に、上記のインク設定後、測定しない色についてカラーコレクションクションテーブルを求めた演算例を示す。
【０１３２】
透明度、トラッピング率を反映したカラーコレクションテーブルの作成の方法としては下記の式１を用いる方法を使うことができる。
Ｄｊ＝Ａｊ（Ｕ，Ｏ）×Ｏｊ＋Ｂｊ（Ｏ）×Ｕｊ……式１
ここに、ｊはプルーフ画像を形成する色材（ここではＹ、Ｍ、Ｃの３種）を表し、Ａはトラッピング率、Ｂは刷り重ねられた上部のインキの透明度、Ｕｊ：刷り重ねられた下色のカラーコレクションテーブルの値、Ｏｊ：刷り重ねた上色のカラーコレクションテーブルの値を表す。Ａ、Ｂにかかる関数表示の中でｊを付していないのは、これがインキの種類で決まるものであることによる。
【０１３３】
Ａ、Ｂの値及び１８色の特性データからカラーコレクションテーブルを計算した例を図９に示した。図９は、右上欄の「１８色の測定値」に示される濃度を測定し、この測定値と、左上欄の「インキの透明度に関わる係数」及び「トラッピング率に関わる係数」を基に、計算して４８色について求めたものが、図９右下欄の「計算されたカラーコレクションテーブル」である。
【０１３４】
［実施例２−１：６色測定した値からのノセ演算による再現色の例］
Ｙ、Ｍ、Ｃ、Ｋ、特色Ｓ１、特色Ｓ２のみを測定し、その他のデータを演算によって求め、図１０に示すカラーコレクションテーブルを得た。
【０１３５】
［実施例２−２：１８色測定した値からのノセ演算による再現色の例］
オーバープリント色を含む１８色を測定し、その他のデータを演算によって求め、図１２に示すカラーコレクションテーブルを得た。
【０１３６】
前記印刷条件で、特色２版を含む計６版で作成した物を用意し、同じ画像データから図８，１０，１２のカラーコレクションテーブルを使用してプルーフ画像を作成した。このプルーフ画像を比較したところ、いずれもどこに特色が使われているか、特色の画像の下になった画像が透けて見えるようになっているかどうかなどのチェックが容易にできる画像を得ることができた。
【０１３７】
６色の基本色の測定から求めたカラーコレクションテーブルを用いた場合でも、検版性の観点からは十分な性能を有していたが、１８色の基本色の測定から求めたカラーコレクションテーブルを用いた場合には、画質的にも全６４色を測定したカラーコレクションテーブルを使った場合と遜色のない画像を得ることができた。
【０１３８】
カラーコレクションテーブルの作成に必要なデータ数より少ないデータにより画像データの妥当性を検証するに足るプルーフ画像を得ることが可能であることが分かった。
【０１３９】
［実施例２−３：他の条件によるカラーコレクションテーブル作成例］
上記実施例２−１におけるカラーコレクションテーブル図１０は、特定色の濃度Ｄｊ（透過濃度に対応）を上記式１、つまり
Ｄｊ＝Ａｊ×Ｏｊ＋Ｂｊ×Ｕｊ
において、Ａ＝Ｂ＝１として求めたものである。
【０１４０】
ここで、Ａｊ、Ｂｊを組み合わせて図１２に示すカラーコレクションテーブルを作成し、実施例２―１と同様にプルーフ画像を作成したところ、図８のカラーコレクションテーブルを使ったものとあまり差のない画質のプルーフ画像が得られた。
【０１４１】
［実施例２−４：単独の特色からカラーコレクションテーブル作成例］
次に、式１の係数Ａｊ、Ｂｊを適宜変化させて組み合わせて作成したカラーパッチを出力し、これを選択することにより、図１３のカラーコレクションテーブルを作成するようにし、プルーフ画像を作成した。このとき、特色インキを刷り重ねた印刷物は用いずに、特色インキ単独の印刷物のみを用いた。図１３のカラーコレクションテーブルを用いた場合も図１２のカラーコレクションテーブルを用いた場合と同様のプルーフ画像を得ることができた。つまり、特色インキ単独の様子から推測することができるという効果、全測定しなくとも単独の特色だけでもカラーコレクションが作れるという大きな改善効果が認められることが分かった。
【０１４２】
［実施例３：ノセ強調演算の例］
実施例２−１において使用した目標印刷物の特色インキＳ２のすり重ね部分の透明度、トラッピング率を調整して図１４のカラーコレクションテーブルを作った。上記透明度、トラッピング率の変更以外は、実施例２−１と同様にして印刷して出力した。実際の目標印刷物よりもシルバーインキのすり重ね部分の色の重なり状態が容易に判別できる様になり、検版作業が容易になった。
【０１４３】
［実施例４：トラッピング補正の例］
実施例２―１において使用した目標印刷物を再現するカラーコレクションのマゼンタおよびＧｙの設定を図１５のように変更した以外は同様にして評価を行った。評価結果、目視の観察で出力画像のグレー部分の赤みと赤成分の多い画像領域のバランスが、より目標印刷物の色に近づけられた。
【０１４４】
［実施例５：上質紙（濃度の薄い目標印刷物）の変更の例］
実施例１で用いた目標印刷物の作成において、印刷用紙を大昭和製紙（株）製の上質紙「しらおい」に変更し、ＣＭＹＫ版のみで、特色版を用いずに印刷物を作成した。これを実施例１と同様な手順で図１６のカラーコレクションテーブルを作成した。アート系の印刷物と同様に良好な目標印刷物近似性を得られた。
【０１４５】
次に、図１７のカラーコレクションテーブルの様にＫにかかわる色のカラーコレクション部を変更した以外は同様にして画像出力を行った。
図１６のものに対して、文字部分の視認性がより印刷物に近似できた。
【０１４６】
［実施例６：特色エジットの例］
実施例２−３において出力サンプルの特色Ｓ１および特色Ｓ２の色調を目視で目標印刷物と見比べ、図１１Ｄのエジット画面上に表示される画面の色を参考にカラーコレクションを図１８（ａ）から（ｂ）へ微調整した。
【０１４７】
その後、その変更に伴い、関連する色のカラーコレクション設定を図１９のように変更して出力比較した。結果として、上記の微調整により特色ノセ部分の目視での近似性がさらに向上した。
【０１４８】
［実施例７：比較例］
実施例２−３において使用した目標印刷物のＳ１およびＳ２の特色インキのすり重ね部分の設定をＳ１とＳ２、それぞれの単独の色で設定した図２０のカラーコレクションテーブルに変更した以外は実施例２と同様に画像出力を行った。
特色のノセ色が設定されていないため、目標印刷物のすり重ね部分の微妙な色の差が表現されないため、検版性が満たされなかった。
【０１４９】
［実施例８：検版性の実証例］
ＣＭＳ（カラーマネジメントシステム：別の色あわせソフト）をコニカカラーマネジメントシステム（コニカ（株）製）との併用した例を以下に説明する。
コニカ（株）製Ｃｏｌｏｒｃｏｎｔｒｏｌ−ＰＭ  Ｐｒｏを用いて、目標とする印刷物および実施例１の本発明のプルーフ出力物のＩＳＯ１２６４２標準カラーチャート中の５９３点をグレタグマクベス社製Ｓｐｅｃｔｒｏｓｃａｎを用いて測定し、それぞれのＩＣＣ  ｐｒｏｆｉｌｅを作製した。続いて、コニカ（株）製Ｃｏｌｏｒｃｏｎｔｒｏｌ−ＬＭ  Ｐｒｏを用いて、前記２つのＩＣＣ  ｐｒｏｆｉｌｅからデバイスリンクプロファイルを作成した。計算条件はレンダリングモードは相対白色、白地設定無し、にごり除去／ベタ保持条件は、中間のＫＣＭＹを全てＯＮ、ベタのＫＣＭＹＲＧＢを全てＯＮで行い、計算後の微調整（エディット）はおこなわずにデバイスリンクプロファイルを作成した。このデバイスリンクプロファイルをコニカＯＬシステムｖｅｒ．５．０を介して画像データをＫＣＭＹ版のみ１ｂｉｔ  ＴＩＦＦ形式に網点分版した。
【０１５０】
特色版に関しては、実施例１と同じ１ｂｉｔ  ＴＩＦＦ形式のデータを用いた。結果は、検版性を損ねることなくさらにグレーなどの、中間調の色調の近似性がより向上した。
【０１５１】
［実施例９：ノセ演算、つまり刷り重ね演算の詳細例］
これまでも刷り重ねについては、次の式で行うことを断片的に説明してきている。ここではその演算の一般式を示すとともに、透明度及びトラッピング率等の実験パラメータを説明する。例えば、２種以上のインキ層を刷り重ねて色調を表現する目標印刷物を得ようとして、ｎ種の色を発色させて組み合わせて表現するプルーフとしての面積階調画像をプルーフ画像出力装置に形成させるにああたり、この発明では、前記目標印刷物の刷り重ね部分の濃度Ｄを、上色濃度Ｏ、下色濃度Ｕとして、下記の式で算出し、その濃度Ｄに対応して前記プルーフ画像出力装置に前記プルーフを出力させることができる。なお、ノセ演算は、図３のパラメータ演算手段９が色特性Ｌ＊ａ＊ｂ＊で行っているが、それは最終的に変換手段１１で濃度に変換されるので、パラメータ演算手段９は変換手段１１の濃度で行うこともできる。
Ｄｊ＝Ａｊ×Ｏｊ＋Ｂｊ×Ｕｊ
但し、ｊ：２からｎまでの整数、Ａｊ：トラッピング率、Ｂｊ：トラッピング率Ｏｊ及びＵｊは、既に測定或いは同様の計算で求められた色の濃度（カラーコレクションテーブルの色及び濃度の１つ）
【０１５２】
これを実際に、図４５（Ｂ）に示すように、下色インキの成分Ｏｙ、Ｏｍ、Ｏｃ（下側の成分でそれぞれ、イェロー、マゼンダ、シアン）に上色インキ成分Ｕｙ、Ｕｍ、Ｕｃ（上側の成分でそれぞれ、イェロー、マゼンダ、シアン）を重ね刷りする場合の例で、刷り重ね部分の濃度（図４５（Ｂ）のノセ部分のカラーコレクション）を成分毎に、次の式で求め、プルーフを再現してみた。
Ｄｙ  ＝Ａｙ  ×Ｏｙ  ＋Ｂｙ  ×Ｕｙ
Ｄｍ  ＝Ａｍ  ×Ｏｍ  ＋Ｂｍ  ×Ｕｍ
Ｄｃ  ＝Ａｃ  ×Ｏｃ  ＋Ｂｃ  ×Ｕｃ
そして、これらのインキの種類、透明度係数、トラッピング率を可変して重ね部分の検版性を試験してみたときのインキの種類に対応した透明度係数のデータを、図４５（Ａ）に示す。
【０１５３】
その場合、Ａｊ：トラッピング率は、０≦Ａｊ≦１、ただし少なくとも、Ａｊの内、１つが０よりも大きく１よりも小さい範囲で変化させている。
【０１５４】
図４５からは、Ｂｊ：透明度係数は、次のように言えることが分かった。図４５では、％で示しているが、係数としては、１００％＝係数（率）１として記載する。
０＜Ｂｊ≦０．３（Ｏｊのインキが金属顔料インキの場合）
０．７≦Ｂｊ＜１（Ｏｊのインキが金属顔料以外の他のインキの場合）
さらには、上色の濃度Ｏｊを構成するインキによっては、次のことが言える。
金属銀色顔料インキのとき、０＜Ｂｊ＜０．１
金属銀色顔料インキ以外の他の金属顔料インキのとき、０．１≦Ｂｊ≦０．３。
以下、実施例１０に、その具体例を示す。
【０１５５】
［実施例１０：刷り重ね印刷物］
（実施例１０−１）
（実施例１０−１における印刷条件）
これから説明する実施例１０−１の印刷条件等を予めここで示しておく。条件の概要は、特色Ｓ１及び特色Ｓ２のインキを変化させて、目標印刷物を作成して準備し、各種条件を変えてカラーコレクションテーブル作成するものであるが、詳細条件は、後述の通りとする。
・プロセスインキ：大日本インキ化学工業（株）製  スペースカラーバリウスＧ
・特色インキ色Ｓ１：大日本インキ化学工業（株）製  ダイスパーク７２０（蛍光ピンク）    ＤＩＣ  Ｎｏ．５８４Ｂ
・特色インキ色Ｓ２：大日本インキ化学工業（株）製  ＮＣＰシルバー  （銀色）ＤＩＣ  Ｎｏ．６２１
・刷り順：Ｋ→Ｃ→Ｍ→Ｙ→Ｓ１→Ｓ２
・印刷機：ローランド  Ｒ７０４
・用紙：三菱製紙株式会社製の特菱アート  １１０ｋｇ／四六判版  ＫＰＧサーマルＣＴＰプレート  ＴＰ−Ｒ
・スクリーン：１７５線  チェーンドット
・目標濃度値（ＤＩＮ−ＮＢ）：Ｙ＝１．１、Ｍ＝１．５、Ｃ＝１．５、Ｋ＝１．８
・目標ドットゲイン：１７％（５０％部）
【０１５６】
（目標印刷物の測定）
・測定条件：特菱アート１１０ｋｇを２枚重ねで机上に敷いた上に目標印刷物を置き、測定手段（装置）３としてエックスライト社製５３０型濃度計を用いてＬ＊ａ＊ｂ＊値を測定手段３で測定した。測定結果を印刷物の測色値として図２４に示す。
・目標印刷物の作成：特色２版を含む計６版の各インキ単独及び種々の組み合わせで刷り重ねた印刷物を用意した。なお、特色（Ｓ）１と特色（Ｓ）２の版は重ならないように画像をデザインしたため、６版の刷り重ねで生成する色のパターン数は４８色となった。
【０１５７】
（カラーコレクションテーブルの生成）
図２４に示す測色値を上記［濃度特性ファイル］の項で説明した濃度特性ファイルを参照して変換手段１１により、特色を含まないプロセスカラーの組み合わせと特色Ｓ１，Ｓ２単独のカラーコレクションテーブルを作成した。作成結果を図２５に示した。数値は濃度を示す。
【０１５８】
（ノセ色の計算）
ａ．トラッピング率の設定
前述の図２４に示す特色１（Ｓ１）、特色２（Ｓ２）の各ノセ色の測色値（Ｌ＊ａ＊ｂ＊）と特色の刷り重ねのない部分の測色値（Ｌ＊ａ＊ｂ＊）の色調差から、各色の上色のトラッピング率を図２６に示すように設定した。
ｂ．透明度係数の設定
特色１（Ｓ１）、特色２（Ｓ２）のインキの性状に基づき透明度係数を図２７に示すように設定した。ここにＳ１は普通インキ、Ｓ２は金属銀色顔料インキである。ｃ．ノセ色  カラーコレクションの計算
透明度、トラッピング率を反映したカラーコレクションテーブルの作成の方法として下記の式を用いて計算をおこなった。
Ｄｙ  ＝Ａｙ  ×Ｏｙ  ＋Ｂｙ  ×Ｕｙ
Ｄｍ  ＝Ａｍ  ×Ｏｍ  ＋Ｂｍ  ×Ｕｍ
Ｄｃ  ＝Ａｃ  ×Ｏｃ  ＋Ｂｃ  ×Ｕｃ
ここに、Ａはトラッピング率、Ｂは刷り重ねられた上部のインキの透明度、
Ｕｙ  、Ｕｍ  、Ｕｃ  ：刷り重ねられた下色のカラーコレクションテーブルの値、
Ｏｙ  、Ｏｍ  、Ｏｃ  ：刷り重ねた上色のカラーコレクションテーブルの値を表す。ノセ色の計算後のカラーコレクション値が、Ｙ濃度は１．４５、Ｍ濃度は１．９０、Ｃ濃度は２．１０を超える場合はこれらの値を代入した。計算したノセ色のカラーコレクション値を図２８に示した。
ｄ．プルーフ露光光量の設定
【０１５９】
プルーフ画像出力装置１において、図２５に示すカラーコレクションテーブルの値と、図２８に示すノセ色  カラーコレクションの値と、上記［感材特性テーブル］及び［濃度特性ファイル］の項で説明した露光量と発色濃度の関係を表す感材特性テーブルから、各色を再現するためのイエロー、マゼンタ、シアンを発色させるブルー光、レッド光、グリーン光の露光光量の組み合わせを設定し、目標印刷物と同一の画像データを用いてプルーフ出力を行った。
【０１６０】
（実施例１０−２）
実施例１０−１における透明度係数（図２７）のうち、特色１の透明度係数の設定を図２９に示すように変更した以外は同様にしてプルーフ出力を行った。この場合のカラーコレクションテーブルを図３０に示す。
【０１６１】
（実施例１０−３）
実施例１０−１における透明度係数（図２７）のうち、特色１の透明度係数の設定を図３１に示すように変更した以外は同様にしてプルーフ出力を行った。この場合のカラーコレクションテーブルを図３２に示す。
【０１６２】
［実施例１０の参考例１］
実施例１０−１における透明度係数の設定を図３３に示すように変更し、これを基に計算したノセ色のカラーコレクション値を図３４に示した。実施例１０−１と同様にしてプルーフ出力を行った。
【０１６３】
［実施例１０―１〜参考例１までの評価］
実施１０―１から実施例１０−３間まの結果と比較を図４４（Ａ）に示す。その評価方法は、作成した画像を、元々の作成した目標印刷物と目視による比較観察を行い、下記判断基準に則り、画像の重なり部分の印刷物の再現性、画像部の印刷物近似性及びベタパッチ部（網点１００％部分）の色近似性について評価を行い、得られた結果が図４４（Ａ）である。
評価基準：目視で標準光源下で印刷物と目視比較
◎：目標印刷物に対して、非常に近似した色再現である。
〇：目標印刷物に対して、ほぼ良好な色再現である。
△：再現性がやや乏しい。
×：品質的に再現できていない。
【０１６４】
図４４（Ａ）の評価結果としては、透明度係数が特色１の場合は、０．９５以上、特色２の場合は、０．０９付近がよいことが言える。なお図４４（Ａ）の右サイドに蛍光ピンク、銀を特色とした場合の、最適（◎）、良好な範囲（○）、ボーダーライン（△）、範囲外（×）のオーダーを示している。
【０１６５】
（実施例１０−４）
実施例１０−１で用いた目標印刷物の、特色Ｓ１および特色Ｓ２のインキを下記に変更した以外は実施例１０―１と同様にして目標印刷物を作成し、この印刷物を測定した。測色値を図３５に示す。
・特色Ｓ１のインキ：
大日本インキ化学工業（株）製  ＦＧメジューム  ７５．６％、ＦＧ２８金赤  １５．６％、ＦＧ１４紅  ５．９％、ＦＧ５８原色藍  ２．９％、ＤＩＣ  Ｎｏ．２４６５
・特色２のインキ：
大日本インキ化学工業（株）製  ＮＣＰゴールド赤口  ＤＩＣ  Ｎｏ．６１９
・金属顔料インキ成分：非金属顔料インキ成分  Ｓ１  ０：１００  Ｓ２  １００：０
【０１６６】
さらに実施例１０−１と同様に濃度特性ファイルを参照して特色を含まないプロセスカラーの組み合わせと特色Ｓ１，Ｓ２単独のカラーコレクションテーブルを図３６に示すように作成した。また、トラッピング率、透明度は実施例１０−１と同一の値を用いて、特色のノセ色カラーコレクションテーブルを図３７に示すように計算、設定した。
【０１６７】
図３６のカラーコレクションテーブル、および図３７のノセ色  カラーコレクションテーブルの値と、感材特性テーブルから、各色を再現するためのイエロー、マゼンタ、シアンを発色させるブルー光、レッド光、グリーン光の露光光量の組み合わせを設定し、目標印刷物と同一の画像データを用いてプルーフ出力を行った。
【０１６８】
（実施例１０−５）
実施例１０−１における特色の透明度の設定を図３８に変更した以外は同様にしてプルーフ出力を行った。この場合のノセ色  カラーコレクションテーブルを図３９に示す。
【０１６９】
（実施例１０−６）
実施例１０−４における透明度係数の設定を図４０に示すように変更した以外は同様にしてプルーフ出力を行った。この場合のノセ色  カラーコレクションテーブルを図４１に示す。
【０１７０】
［実施例１０の参考例２］
実施例１０−４における透明度係数の設定を図４２に示すように変更した以外は同様にしてプルーフ出力を行った。この場合のノセ色  カラーコレクションテーブルを図４３に示す。
【０１７１】
［実施例１０―４〜参考例２までの評価］
図４４（Ｂ）に評価結果を示すが、評価基準は、上記評価基準と同じである。特色がピンクの場合は、０．９以上であり、赤金の場合は、０．２０付近が最適であった。
【０１７２】
（実施例１０−７）
実施例１０−５における目標印刷物の特色Ｓ１および特色Ｓ２のインキを下記に変更したものを用いた以外は同様にしてプルーフ出力を行ったが、実施例１０−５同様に良好な再現性が得られた。
・特色Ｓ１のインキ：
大日本インキ化学工業（株）製  ＦＧメジューム  ７２．７％  ＣＧピンク  １８．３％、ＦＧ２８金赤  ６．８％、ＦＧ４５透明黄  ２．２％  ＤＩＣ  Ｎｏ．７５
・特色Ｓ２のインキ：
大日本インキ化学工業（株）製  ＦＧメジューム  ７５．６％    ＦＧ２８金赤１５．６％、ＦＧ１４紅  ５．９％、ＦＧ５８原色藍  ２．９％  ＤＩＣ  Ｎｏ．２４６５
・特色Ｓ２のインキ：大日本インキ化学工業（株）製  ＮＣＰゴールド赤口  ＤＩＣ  Ｎｏ．６１９  ＮＣＰゴールド青口  ＤＩＣ  Ｎｏ．６２０
【０１７３】
（形成画像の全体評価）
図４４から明かなように、特に実施例１０−１、実施例１０−２、実施例１０−４、実施例１０−５は特色Ｓ１、Ｓ２ともに画像の重なり部の印刷物再現性、画像部の印刷物近似性及びベタパッチ部の色近似性が非常に良好であり、実施例１０−３、実施例１０−６は特色Ｓ１、Ｓ２ともにほぼ良好であることが分かる。これに対して参考例１及び２はプルーフとしての再現性がやや乏しいか又は印刷物の品質を再現できていない。これらのことから図４５における透明度の傾向が分かる。
【０１７４】
結局、目標印刷物に用いられる印刷インキの性質を、透明度係数という一つのパラメータを用いて分類し、その分類に応じて、共通の演算を行うことで、結局少ない測色データからプルーフ画像のノセ色の濃度設定が可能なことを発見した。
【０１７５】
以上の説明における技術は限られたものであり、説明した技術に限らずその均等範囲は、本発明の技術思想に属する。
【０１７６】
【発明の効果】
上記説明の構成により、本発明は、インキ種、用紙種類に応じてインキの重なり色を良好に再現したプルーフ画像を得ることができる。また、色の測定を極力減らし、少ない測色から多くの色を用いたプルーフが作成できる効果がある。また、本発明の透明度係数の採用方法により、刷り重ね部分の色も明瞭に視覚認識できる効果がある。
【図面の簡単な説明】
【図１】画像における網点と画素を説明するための図である。
【図２】全体構成を示す図である。
【図３】本発明に機能構成を示す図である。
【図４】図３の機能構成の動作フローを説明するための図である。
【図５】感材（感光材料）特性テーブルの例を示す図である。
【図６】濃度特性ファイルを説明するための図である。
【図７】光量と濃度の組み合わせを示す図である。
【図８】実施例１で全色測定して作成したカラーコレクションテーブルである。
【図９】実施例１で計算して作成したカラーコレクションテーブルである。
【図１０】実施例２−１で作成したカラーコレクションテーブルである。
【図１１Ａ】ＧＵＩによる画面例を示す図であって、メイン画面を示す図である。
【図１１Ｂ】ＧＵＩによる画面例を示す図であって、測定画面を示す図である。
【図１１Ｃ】ＧＵＩによる画面例を示す図であって、ノセ色選択画面を示す図である。
【図１１Ｄ】ＧＵＩによる画面例を示す図であって、調整したい色の選択画面を示す図である。
【図１１Ｅ】ＧＵＩによる画面例を示す図であって、エジット画面を示す図である。
【図１１Ｆ】ＧＵＩによる画面例を示す図であって、インキ設定画面を示す図である。
【図１１Ｇ】ＧＵＩによる画面例を示す図であって、印刷用紙設定画面を示す図である。
【図１１Ｈ】ＧＵＩによる画面例を示す図であって、測定フィードバック画面を示す図である。
【図１２】実施例２−２で作成したカラーコレクションテーブルである。
【図１３】実施例２−４で作成したカラーコレクションテーブルである。
【図１４】実施例３で作成したカラーコレクションテーブルである。
【図１５】実施例４で補正した個所を示す図である。
【図１６】実施例５で作成したカラーコレクションテーブルである。
【図１７】実施例５で作成した他のカラーコレクションテーブルである。
【図１８】実施例６で調整変更内容を示すテーブルである。
【図１９】実施例６で作成したカラーコレクションテーブルである。
【図２０】実施例７で比較したカラーコレクションテーブルである。
【図２１Ａ】画素毎の露光量への変換を説明するための図である。
【図２１Ｂ】画素毎の露光量への変換を説明するための図である。
【図２２】画素毎の露光量への変換フローを示す図である。
【図２３】本発明の説明に用いられている、インキで表現される色の表記を示す図である。
【図２４】実施例１０−１の印刷物の測色値を示す図である。
【図２５】実施例１０−１で作成したカラーコレクションテーブルを示す図である。
【図２６】実施例１０−１のトラッピング率の設定を示す図である。
【図２７】実施例１０―１透明度の設定を示す図である。
【図２８】実施例１０−１の計算したノセ色のカラーコレクション値を示す図である。
【図２９】実施例１０−２の透明度の設定を示す図である。
【図３０】実施例１０−２のカラーコレクションテーブルを示す図である。
【図３１】実施例１０−３の透明度の設定を示す図である。
【図３２】実施例１０−３のカラーコレクションテーブルを示す図である。
【図３３】実施例１０の参考例１の透明度の設定を示す図である。
【図３４】実施例１０の参考例１）のノセ色  カラーコレクションテーブルを示す図である。
【図３５】実施例１０−４の測色値を示す図である。
【図３６】実施例１０−４のカラーコレクションテーブルを示す図である。
【図３７】実施例１０−４のノセ色  カラーコレクションテーブルを示す図である。
【図３８】実施例１０−５の透明度係数の設定を示す図である。
【図３９】実施例１０−５のノセ色  カラーコレクションテーブルを示す図である。
【図４０】実施例１０−６の透明度係数の設定を示す図である。
【図４１】実施例１０−６のノセ色  カラーコレクションテーブルを示す図である。
【図４２】実施例１０の参考例２の透明度係数の設定を示す図である。
【図４３】実施例１０の参考例２のノセ色  カラーコレクションテーブルを示す図である。
【図４４】実施例１０の評価結果を示す図である。
【図４５】刷り重ねのインクに応じた透明度係数とトラッピング率の例を示す図である。
【符号の説明】
１  プルーフ画像出力装置
２  目標印刷物
３  測定手段（取得手段）
４  表示手段
５  操作手段
６  パネルコントロール
７  表示情報記憶手段
８  制御部
９  パラメータ演算手段（ノセ演算手段）
１０  レンダリング手段
１１  変換手段
１２  機差補正手段
１３  記憶手段
１４  エジット手段（シュミレート手段）
１５  網点データ生成部
１００  画像情報処理装置
１００ａ  ＣＰＵ
１００ｂ  メモリ
２００  ＧＵＩ
【図１】
2004297738.tif 000003
【図２】
2004297738.tif 000004
【図３】
2004297738.tif 000005
【図４】
2004297738.tif 000006
【図５】
2004297738.tif 000007
【図６】
2004297738.tif 000008
【図７】
2004297738.tif 000009
【図８】
2004297738.tif 000010
【図９】
2004297738.tif 000011
【図１０】
2004297738.tif 000012
【図１１Ａ】
2004297738.tif 000013
【図１１Ｂ】
2004297738.tif 000014
【図１１Ｃ】
2004297738.tif 000015
【図１１Ｄ】
2004297738.tif 000016
【図１１Ｅ】
2004297738.tif 000017
【図１１Ｆ】
2004297738.tif 000018
【図１１Ｇ】
2004297738.tif 000019
【図１１Ｈ】
2004297738.tif 000020
【図１２】
2004297738.tif 000021
【図１３】
2004297738.tif 000022
【図１４】
2004297738.tif 000023
【図１５】
2004297738.tif 000024
【図１６】
2004297738.tif 000025
【図１７】
2004297738.tif 000026
【図１８】
2004297738.tif 000027
【図１９】
2004297738.tif 000028
【図２０】
2004297738.tif 000029
【図２１Ａ】
2004297738.tif 000030
【図２１Ｂ】
2004297738.tif 000031
【図２２】
2004297738.tif 000032
【図２３】
2004297738.tif 000033
【図２４】
2004297738.tif 000034
【図２５】
2004297738.tif 000035
【図２６】
2004297738.tif 000036
【図２７】
2004297738.tif 000037
【図２８】
2004297738.tif 000038
【図２９】
2004297738.tif 000039
【図３０】
2004297738.tif 000040
【図３１】
2004297738.tif 000041
【図３２】
2004297738.tif 000042
【図３３】
2004297738.tif 000043
【図３４】
2004297738.tif 000044
【図３５】
2004297738.tif 000045
【図３６】
2004297738.tif 000046
【図３７】
2004297738.tif 000047
【図３８】
2004297738.tif 000048
【図３９】
2004297738.tif 000049
【図４０】
2004297738.tif 000050
【図４１】
2004297738.tif 000051
【図４２】
2004297738.tif 000052
【図４３】
2004297738.tif 000053
【図４４】
2004297738.tif 000054
【図４５】
2004297738.tif 000055